(57)【特許請求の範囲】
【請求項１】
端子電極と、
第一及び第二の外部接続導体と、
前記端子電極と前記第一の外部接続導体とに接続される第一のＥＳＲ制御部と、
前記第一のＥＳＲ制御部が接続される第一の外部接続導体とは異なる前記第二の外部接続導体に接続される静電容量部と、
前記第一のＥＳＲ制御部が接続される前記第一の外部接続導体と前記静電容量部が接続される前記第二の外部接続導体とに接続される第二のＥＳＲ制御部と、を備え、
前記第一のＥＳＲ制御部は、誘電体層を介して積層方向に互いに隣接して対向配置された一対の内部電極からなる内部電極層を少なくとも１つ含んで構成され、且つ、前記第二のＥＳＲ制御部は、誘電体層を介して積層方向に互いに隣接して対向配置された一対の内部電極からなる内部電極層を少なくとも１つ含んで構成され、
前記第二のＥＳＲ制御部の積層数及び積層位置の少なくとも一方を変更することにより、等価直列抵抗が所望の値に調整されていることを特徴とする積層コンデンサ。
【請求項２】
第三の外部接続導体を更に備え、
前記第二のＥＳＲ制御部は、少なくとも２つの内部電極を有しており、
前記少なくとも２つの内部電極は、前記第三の外部接続導体により互いに接続されていることを特徴とする請求項１記載の積層コンデンサ。
【請求項３】
前記端子電極が同極性に接続される第一及び第二の端子電極であり、且つ、前記第一のＥＳＲ制御部が前記第一の端子電極に接続されており、
前記第一のＥＳＲ制御部が接続される前記第一の端子電極とは異なる前記第二の端子電極と前記静電容量部が接続される前記第二の外部接続導体とに接続される第三のＥＳＲ制御部を備えることを特徴とする請求項１又は２記載の積層コンデンサ。
【請求項４】
前記第一のＥＳＲ制御部の内部電極と前記第三のＥＳＲ制御部の内部電極とが誘電体の積層方向において同層に形成されることを特徴とする請求項３記載の積層コンデンサ。
【請求項５】
前記第一のＥＳＲ制御部の内部電極と前記第三のＥＳＲ制御部の内部電極とが誘電体の積層方向において異なる層に形成されることを特徴とする請求項３記載の積層コンデンサ。
【請求項６】
前記端子電極が同極性に接続される第一及び第二の端子電極であり、且つ、前記第一のＥＳＲ制御部が前記第一の端子電極に接続されており、
第四の外部接続導体と、前記第四の外部接続導体に接続される別の静電容量部と、前記第一のＥＳＲ制御部が接続される前記第一の端子電極とは異なる前記第二の端子電極と前記別の静電容量部が接続される前記第四の外部接続導体とに接続される第四のＥＳＲ制御部と、を更に備えていることを特徴とする請求項１又は２記載の積層コンデンサ。
【請求項７】
前記第一のＥＳＲ制御部を構成する一対の内部電極は、互いに線対称な形状を呈する内部電極から構成される、請求項１〜６の何れか一項に記載の積層コンデンサ。
【請求項８】
前記第二のＥＳＲ制御部を構成する一対の内部電極は、互いに線対称な形状を呈する内部電極から構成される、請求項１〜７の何れか一項に記載の積層コンデンサ。
【請求項９】
前記第一及び第二のＥＳＲ制御部は互いに離間して外層側にそれぞれ配置されており、その内層側には前記静電容量部が配置されていることを特徴とする請求項１〜８の何れか一項に記載の積層コンデンサ。
【請求項１０】
端子電極と、第一及び第二の外部接続導体と、前記端子電極と前記第一の外部接続導体とに接続される第一のＥＳＲ制御部と、前記第一のＥＳＲ制御部が接続される第一の外部接続導体とは異なる前記第二の外部接続導体に接続される静電容量部と、前記第一のＥＳＲ制御部が接続される前記第一の外部接続導体と前記静電容量部が接続される前記第二の外部接続導体とに接続される第二のＥＳＲ制御部と、を備え、前記第一のＥＳＲ制御部が誘電体層を介して積層方向に互いに隣接して対向配置された一対の内部電極からなる内部電極層を少なくとも１つ含んで構成され、且つ、前記第二のＥＳＲ制御部が誘電体層を介して積層方向に互いに隣接して対向配置された一対の内部電極からなる内部電極層を少なくとも１つ含んで構成された積層コンデンサの等価直列抵抗の調整方法であって、
前記第二のＥＳＲ制御部の積層数及び積層位置の少なくとも一方を変更することにより等価直列抵抗を所望の値に調整することを特徴とする積層コンデンサの等価直列抵抗の調整方法。
【発明の詳細な説明】
【技術分野】
【０００１】
本発明は、積層コンデンサに関する。
【背景技術】
【０００２】
従来、積層コンデンサとして、複数の誘電体層と複数の内部電極とが交互に積層された積層体と、当該積層体の側面に配置された外部接続導体及び端子電極とを備えたものが知られている（例えば特許文献１，２参照）。このような積層コンデンサでは、等価直列抵抗を大きくするため、静電容量部を構成する内部電極の他に内部接続導体層を設け、この内部接続導体層を介して端子電極と静電容量部とを接続するようにしている。このような積層コンデンサは、例えば、ＩＣにおけるデカップリングコンデンサとして用いられる。
【先行技術文献】
【特許文献】
【０００３】
【特許文献１】特開２００７−１７３８３７号公報
【特許文献２】特開２００７−１７３８３８号公報
【発明の概要】
【発明が解決しようとする課題】
【０００４】
ところで、上述した積層コンデンサでは、内部接続導体を介して端子電極と静電容量部とを接続することで等価直列抵抗を増加させることを目的としているため、等価直列抵抗を所望の値に微調整するような積層コンデンサではなかった。このため、等価直列抵抗を所望の値に微調整できる積層コンデンサやその調整方法が望まれていた。
【０００５】
本発明は、等価直列抵抗を所望の値に微調整できる積層コンデンサ及びその調整方法を提供することを目的とする。
【課題を解決するための手段】
【０００６】
上記課題を解決するため、本発明に係る積層コンデンサは、端子電極と、第一及び第二の外部接続導体と、端子電極と第一の外部接続導体とに接続される第一のＥＳＲ制御部と、第一のＥＳＲ制御部が接続される第一の外部接続導体とは異なる第二の外部接続導体に接続される静電容量部と、第一のＥＳＲ制御部が接続される第一の外部接続導体と静電容量部が接続される第二の外部接続導体とに接続される第二のＥＳＲ制御部と、を備え、第二のＥＳＲ制御部の積層数及び積層位置の少なくとも一方を変更することにより、等価直列抵抗が所望の値に調整されていることを特徴としている。
【０００７】
また、上記課題を解決するため、本発明に係る積層コンデンサの等価直列抵抗の調整方法は、端子電極と、第一及び第二の外部接続導体と、端子電極と第一の外部接続導体とに接続される第一のＥＳＲ制御部と、第一のＥＳＲ制御部が接続される第一の外部接続導体とは異なる第二の外部接続導体に接続される静電容量部と、第一のＥＳＲ制御部が接続される第一の外部接続導体と静電容量部が接続される第二の外部接続導体とに接続される第二のＥＳＲ制御部と、を備えた積層コンデンサの等価直列抵抗の調整方法であって、第二のＥＳＲ制御部の積層数及び積層位置の少なくとも一方を変更することにより等価直列抵抗を所望の値に調整することを特徴としている。
【０００８】
本発明に係る積層コンデンサ及び積層コンデンサの等価直列抵抗の調整方法では、第一及び第二の外部接続導体に接続される第二のＥＳＲ制御部を積層コンデンサが備えており、第二のＥＳＲ制御部の積層数及び積層位置の少なくとも一方を変更することにより、積層コンデンサの等価直列抵抗を所望の値に調整するようにしている。この場合、第二のＥＳＲ制御部の積層数や積層位置といった比較的調整し易い要素を変更することにより等価直列抵抗を調整するので、積層コンデンサの等価直列抵抗を微調整することができる。
【０００９】
上述した積層コンデンサは、第三の外部接続導体を更に備え、第二のＥＳＲ制御部は、少なくとも２つの内部接続導体を有しており、少なくとも２つの内部接続導体が第三の外部接続導体により互いに接続されるようにしてもよい。この場合、第二のＥＳＲ制御部が少なくとも２つの内部接続導体を有することになるため、等価直列抵抗の更なる微調整を行うことができる。
【００１０】
上述した積層コンデンサにおいて、端子電極は、同極性に接続される第一及び第二の端子電極であり、且つ、第一のＥＳＲ制御部が第一の端子電極に接続されており、当該積層コンデンサは、第一のＥＳＲ制御部が接続される第一の端子電極とは異なる第二の端子電極と静電容量部が接続される第二の外部接続導体とに接続される第三のＥＳＲ制御部を更に備えるようにしてもよい。この場合、積層コンデンサは、第一及び第二のＥＳＲ制御部を介して端子電極と静電容量部とを繋ぐ電流経路に加え、第三のＥＳＲ制御部を介して端子電極と静電容量部とを繋ぐ別の電流経路を有することとなる。電流経路の長さは積層コンデンサの等価直列抵抗の値を画定する重要な要素であることから、このように積層コンデンサが二種類の電流経路を備えることにより、等価直列抵抗の更なる微調整を行うことができる。
【００１１】
このように電流経路を二種類備える積層コンデンサとしては、第一のＥＳＲ制御部の内部接続導体と第三のＥＳＲ制御部の内部接続導体とが誘電体の積層方向において同層に形成される積層コンデンサであってもよいし、又は、第一のＥＳＲ制御部の内部接続導体と第三のＥＳＲ制御部の内部接続導体とが誘電体の積層方向において異なる層に形成される積層コンデンサであってもよい。
【００１２】
上述した積層コンデンサにおいて、端子電極は、同極性に接続される第一及び第二の端子電極であり、且つ、第一のＥＳＲ制御部が第一の端子電極に接続されており、当該積層コンデンサは、第四の外部接続導体と、第四の外部接続導体に接続される別の静電容量部と、第一のＥＳＲ制御部が接続される第一の端子電極とは異なる第二の端子電極と別の静電容量部が接続される第四の外部接続導体とに接続される第四のＥＳＲ制御部とを更に備えるようにしてもよい。この場合、積層コンデンサは、第一及び第二のＥＳＲ制御部を介して端子電極と静電容量部とを繋ぐ電流経路に加え、第四のＥＳＲ制御部を介して端子電極と別の静電容量部とを繋ぐ別の電流経路を有することとなる。このように積層コンデンサが二種類の電流経路を備えることにより、等価直列抵抗の更なる微調整を行うことができる。
【発明の効果】
【００１３】
本発明によれば、等価直列抵抗を所望の値に微調整できる積層コンデンサ及びその調整方法を提供することができる。
【図面の簡単な説明】
【００１４】
【図１】第一実施形態に係る積層コンデンサの斜視図である。
【図２】積層体の各部を示し、（ａ）は第一のＥＳＲ制御部を、（ｂ）は第二のＥＳＲ制御部を、（ｃ）は静電容量部をそれぞれ示す平面図である。
【図３】図１におけるIII-III線に沿った模式断面図である。
【図４】図３とは積層体の各部の配置を変更した場合の模式断面図である。
【図５】図３とは積層体の各部の配置を変更した場合の模式断面図である。
【図６】図３に示す積層コンデンサを回路基板に実装した際の電流の流れを模式的に示す断面図であり、図１におけるIII-III線に沿った模式断面図である。
【図７】図３に示す積層コンデンサを回路基板に実装した際の電流の流れを模式的に示す断面図であり、図１におけるVII-VII線に沿った模式断面図である。
【図８】図３に示す積層コンデンサを回路基板に実装した際の電流の流れを模式的に示す断面図であり、図１におけるVIII-VIII線に沿った模式断面図である。
【図９】第二実施形態に係る積層コンデンサの斜視図である。
【図１０】積層体の各部を示し、（ａ）は第一のＥＳＲ制御部を、（ｂ）は第二のＥＳＲ制御部を、（ｃ）は静電容量部をそれぞれ示す平面図である。
【図１１】第二実施形態における積層体の各部の変形例である。
【図１２】第三実施形態に係る積層コンデンサの斜視図である。
【図１３】積層体の各部を示し、（ａ）は第一のＥＳＲ制御部を、（ｂ）は第二のＥＳＲ制御部を、（ｃ）は静電容量部をそれぞれ示す平面図である。
【図１４】第三実施形態における積層体の各部の変形例である。
【図１５】第四実施形態に係る積層コンデンサの斜視図である。
【図１６】積層体の各部を示し、（ａ）は第一のＥＳＲ制御部を、（ｂ）（ｃ）は第二のＥＳＲ制御部を、（ｄ）は静電容量部をそれぞれ示す平面図である。
【図１７】第五実施形態に係る積層コンデンサの斜視図である。
【図１８】積層体の各部を示し、（ａ）は第一及び第三のＥＳＲ制御部を、（ｂ）は第二のＥＳＲ制御部を、（ｃ）は静電容量部をそれぞれ示す平面図である。
【図１９】積層体の各部の変形例を示し、（ａ）は第一のＥＳＲ制御部を、（ｂ）は第三のＥＳＲ制御部をそれぞれ示す平面図である。
【図２０】積層コンデンサにおける各部の配置構成を示す模式断面図である。
【図２１】図２０の配置構成を変更した配置構成の例を示す模式断面図である。
【図２２】第六実施形態に係る積層コンデンサの斜視図である。
【図２３】第六実施形態に係る積層コンデンサの各部を示し、（ａ）は第一のＥＳＲ制御部を、（ｂ）は第二のＥＳＲ制御部、（ｃ）は静電容量部をそれぞれ示す平面図である。
【図２４】第六実施形態に係る積層コンデンサの各部を示し、（ａ）は第四のＥＳＲ制御部を、（ｂ）は別の静電容量部をそれぞれ示す平面図である。
【図２５】第七実施形態に係る積層コンデンサの斜視図である。
【図２６】第七実施形態に係る積層コンデンサの各部を示し、（ａ）は第一のＥＳＲ制御部を、（ｂ）は第二のＥＳＲ制御部、（ｃ）は静電容量部をそれぞれ示す平面図である。
【図２７】第七実施形態における積層体の各部の第一変形例である。
【図２８】第七実施形態における積層体の各部の第二変形例である。
【図２９】第七実施形態における積層体の各部の第三変形例である。
【図３０】第七実施形態における積層体の各部の第四変形例である。
【図３１】第七実施形態における積層体の各部の第五変形例である。
【図３２】第七実施形態における積層体の各部の第六変形例である。
【図３３】第七実施形態における積層体の各部の第七変形例である。
【図３４】第七実施形態における積層体の各部の第八変形例である。
【図３５】第七実施形態における積層体の各部の第九変形例である。
【図３６】第七実施形態における積層体の各部の第十変形例である。
【図３７】第七実施形態における積層体の各部の第十一変形例である。
【図３８】第七実施形態における積層体の各部の第十二変形例である。
【図３９】第七実施形態における積層体の各部の第十三変形例である。
【図４０】第七実施形態における積層体の各部の第十四変形例である。
【図４１】第七実施形態における積層体の各部の第十五変形例である。
【図４２】第八実施形態に係る積層コンデンサの斜視図である。
【図４３】第八実施形態に係る積層コンデンサの各部を示し、（ａ）は第一のＥＳＲ制御部を、（ｂ）は第二のＥＳＲ制御部、（ｃ）は静電容量部をそれぞれ示す平面図である。
【図４４】第八実施形態における積層体の各部の第一変形例である。
【図４５】第八実施形態における積層体の各部の第二変形例である。
【図４６】第八実施形態における積層体の各部の第三変形例である。
【図４７】第八実施形態における積層体の各部の第四変形例である。
【図４８】第八実施形態における積層体の各部の第五変形例である。
【図４９】第八実施形態における積層体の各部の第六変形例である。
【図５０】第八実施形態における積層体の各部の第七変形例である。
【図５１】第九実施形態に係る積層コンデンサの斜視図である。
【図５２】第九実施形態に係る積層コンデンサの各部を示し、（ａ）は第一のＥＳＲ制御部を、（ｂ）は第二のＥＳＲ制御部、（ｃ）は静電容量部をそれぞれ示す平面図である。
【図５３】第九実施形態における積層体の各部の第一変形例である。
【図５４】第九実施形態における積層体の各部の第二変形例である。
【図５５】第九実施形態における積層体の各部の第三変形例である。
【図５６】第九実施形態における積層体の各部の第四変形例である。
【図５７】第九実施形態における積層体の各部の第五変形例である。
【図５８】第九実施形態における積層体の各部の第六変形例である。
【図５９】第九実施形態における積層体の各部の第七変形例である。
【図６０】第十実施形態に係る積層コンデンサの斜視図である。
【図６１】第十実施形態に係る積層コンデンサの各部を示し、（ａ）は第一のＥＳＲ制御部を、（ｂ）は第二のＥＳＲ制御部、（ｃ）は静電容量部をそれぞれ示す平面図である。
【図６２】第十実施形態における積層体の各部の第一変形例である。
【図６３】第十実施形態における積層体の各部の第二変形例である。
【図６４】第十実施形態における積層体の各部の第三変形例である。
【図６５】第十実施形態における積層体の各部の第四変形例である。
【図６６】第十実施形態における積層体の各部の第五変形例である。
【図６７】第十実施形態における積層体の各部の第六変形例である。
【図６８】第十実施形態における積層体の各部の第七変形例である。
【図６９】第十一実施形態に係る積層コンデンサの斜視図である。
【図７０】第十一実施形態に係る積層コンデンサの各部を示し、（ａ）は第一のＥＳＲ制御部を、（ｂ）は第二のＥＳＲ制御部、（ｃ）は静電容量部をそれぞれ示す平面図である。
【図７１】第十一実施形態における積層体の各部の第一変形例である。
【図７２】第十一実施形態における積層体の各部の第二変形例である。
【図７３】第十一実施形態における積層体の各部の第三変形例である。
【図７４】第十一実施形態における積層体の各部の第四変形例である。
【図７５】第十一実施形態における積層体の各部の第五変形例である。
【図７６】第十一実施形態における積層体の各部の第六変形例である。
【図７７】第十一実施形態における積層体の各部の第七変形例である。
【発明を実施するための形態】
【００１５】
以下、添付図面を参照して、本発明の好適な実施形態について詳細に説明する。なお、説明において、同一要素又は同一機能を有する要素には、同一符号を用いることとし、重複する説明は省略する。
【００１６】
（第一実施形態）
まず、図１，図２を参照して、第一実施形態に係る積層コンデンサ１の構成について説明する。積層コンデンサ１は、図１に示されるように、略直方体形状の素体２と、端子電極３，４と、第一の外部接続導体５，６と、第二の外部接続導体７，８とを備えている。また、積層コンデンサ１は、素体２の内部に、第一及び第二のＥＳＲ制御部１０，２０と、静電容量部３０とを備えている（例えば図３参照）。このような積層コンデンサ１は、例えば対象サイズが１６０８（長さ１．６ｍｍ、高さ０．６ｍｍ、幅０．８ｍｍ）といった小型のコンデンサである。
【００１７】
素体２は、複数の誘電体層が積層された略直方体形状の積層体である。素体２に含まれる各誘電体層は、例えば、誘電体セラミックを含むセラミックグリーンシートの焼結体から構成される。実際の積層コンデンサ１では、各誘電体層の間の境界が視認できない程度に一体化されている。また、素体２は、その外表面として、互いに対向する第一及び第二の主面２ａ，２ｂと、互いに対向し且つ第一及び第二の主面２ａ，２ｂの長辺方向に沿って伸びる第一及び第二の側面２ｃ，２ｄと、互いに対向し且つ第一及び第二の主面２ａ，２ｂの短辺方向に沿って伸びる第一及び第二の端面２ｅ，２ｆとを有している。第一及び第二の側面２ｃ，２ｄと第一及び第二の端面２ｅ，２ｆとは、第一及び第二の主面２ａ，２ｂ間を連結するように伸びている。
【００１８】
端子電極３，４は、第一のＥＳＲ制御部１０等に含まれる内部電極を、回路基板に形成されたプラス電極Ｓ１又はマイナス電極Ｓ２に接続させるための電極であり（図６参照）、素体２の外表面に配置される。端子電極３，４は、例えば、導電性金属粉末及びガラスフリットを含む導電性ペーストを素体２の外表面に付与し、焼き付けることによって形成される。必要に応じて、焼き付けられた電極の上にめっき層を形成してもよい。後述する他の端子電極や外部接続導体も同様に形成される。
【００１９】
第一の外部接続導体５，６は、第一のＥＳＲ制御部１０に含まれる内部電極と第二のＥＳＲ制御部２０に含まれる内部電極を相互に接続するための外部接続導体であり、素体２の外表面に配置される。第二の外部接続導体７，８は、第二のＥＳＲ制御部２０に含まれる内部電極と静電容量部３０に含まれる内部電極を相互に接続するための外部接続導体であり、素体２の外表面に配置される。第一及び第二の外部接続導体５〜８は、回路基板に形成されたプラス電極Ｓ１及びマイナス電極Ｓ２のいずれにも接続されないようになっている。各端子電極３，４や各外部接続導体５〜８は、素体２の外表面において互いに電気的に絶縁されている。
【００２０】
このような端子電極３、第一の外部接続導体５及び第二の外部接続導体７は、図１に示されるように、第一及び第二の端面２ｅ，２ｆの対向方向において、第一の端面２ｅから第二の端面２ｆに向かって（図示左奥側から右手前側へ）、この順に第一の側面２ｃに配置される。一方、端子電極４、第一の外部接続導体６及び第二の外部接続導体８は、第一及び第二の端面２ｅ，２ｆの対向方向において、第一の端面２ｅから第二の端面２ｆに向かって、この順に第二の側面２ｄに配置される。各端子電極３，４や各外部接続導体５〜８それぞれは、第一の主面２ａから第二の主面２ｂにまたがるように第一又は第二の側面２ｃ，２ｄに形成されている。なお、端子電極３，４は素体２を挟んで互いに対向し、第一の外部接続導体５，６も素体２を挟んで互いに対向し、第二の外部接続導体７，８も素体２を挟んで互いに対向するように形成されている。
【００２１】
第一のＥＳＲ制御部１０は、端子電極３，４と第一の外部接続導体５，６とに接続され、積層コンデンサ１の等価直列抵抗（以下「ＥＳＲ」とも記す。）の増加等の制御を行う部分である。第一のＥＳＲ制御部１０は、図２（ａ）に示されるように、それぞれが別の誘電体層２ｇ上に形成される内部電極１１，１６から構成される。内部電極１１，１６は、誘電体層２ｇを介して積層方向に互いに対向するように積層され、一対の内部電極層を構成するようになっている。内部電極１１，１６は、例えば、導電性ペーストの焼結体から構成される。後述する他の内部電極も同様に形成される。
【００２２】
内部電極１１は、端子電極３と第一の外部接続導体５とを接続するための内部接続導体である。内部電極１１は、主電極部１２と引出電極部１３，１４とを含む。主電極部１２は、第一及び第二の端面２ｅ，２ｆの対向方向（以下「Ｘ方向」と記す。）に伸びるように形成された矩形形状の電極部である。引出電極部１３は、Ｘ方向における第一の端面２ｅ側において主電極部１２と連接し、内部電極１１を第一の側面２ｃの第一の端子電極３の形成領域に引き出す電極部である。引出電極部１３は、端子電極３に電気的且つ物理的に接続される。引出電極部１４は、Ｘ方向における略中央において主電極部１２と連接し、内部電極１１を第一の側面２ｃの第一の外部接続導体５の形成領域に引き出す電極部である。引出電極部１４は、第一の外部接続導体５に電気的且つ物理的に接続される。
【００２３】
積層コンデンサ１が回路基板に実装等されると、内部電極１１には、図示矢印Ａ１で示される電流が流れる。そして、プラス電極Ｓ１から端子電極３へと流れ込んだ電流が内部電極１１を介して第一の外部接続導体５へと伝えられるようになる。
【００２４】
内部電極１６は、端子電極４と第一の外部接続導体６とを接続するための内部接続導体である。内部電極１６は、主電極部１７と引出電極部１８，１９とを含む。主電極部１７は、Ｘ方向に伸びるように形成された矩形形状の電極部である。引出電極部１８は、Ｘ方向における第一の端面２ｅ側において主電極部１７と連接し、内部電極１６を第二の側面２ｄの端子電極４の形成領域に引き出す電極部である。引出電極部１８は、端子電極４に電気的且つ物理的に接続される。引出電極部１９は、Ｘ方向における略中央において主電極部１７と連接し、内部電極１６を第二の側面２ｄの第一の外部接続導体６の形成領域に引き出す電極部である。引出電極部１９は、第一の外部接続導体６に電気的且つ物理的に接続される。
【００２５】
積層コンデンサ１が回路基板に実装等されると、内部電極１６には、図示矢印Ａ２で示される電流が流れる。そして、第一の外部接続導体６へと流れ込んだ電流が内部電極１６を介して端子電極４やマイナス電極Ｓ２へと伝えられるようになる。なお、本実施形態では、内部電極１１，１６が、接続導体として必要な面積よりも広くなるように形成されているため、積層コンデンサ１が回路基板に実装等されると、内部電極１１，１６それぞれに、図示矢印Ａ３，Ａ４で示される電流も流れるようになっている。内部電極１１，１６が積層方向に対向するように配置されていることから、上述した接続部としての機能に加え、内部電極１１，１６は、これらの電流により静電容量部としても機能する。後述する第二のＥＳＲ制御部２０においても同様である（図２（ｂ）において、電流の経路を示す矢印Ａ１３、Ａ１４を参照）。
【００２６】
第二のＥＳＲ制御部２０は、第一の外部接続導体５，６と第二の外部接続導体７，８とに接続され、第一のＥＳＲ制御部１０と同様、積層コンデンサ１のＥＳＲの増加等の制御を行う部分である。第二のＥＳＲ制御部２０は、図２（ｂ）に示されるように、それぞれが別の誘電体層２ｇ上に形成される内部電極２１，２６から構成される。内部電極２１，２６は、誘電体層２ｇを介して積層方向に互いに対向するように積層され、一対の内部電極層を構成するようになっている。
【００２７】
内部電極２１は、第一の外部接続導体５と第二の外部接続導体７とを接続するための内部接続導体である。内部電極２１は、主電極部２２と引出電極部２３，２４とを含む。主電極部２２は、Ｘ方向に伸びるように形成された矩形形状の電極部である。引出電極部２３は、Ｘ方向における略中央において主電極部２２と連接し、内部電極２１を第一の側面２ｃの第一の外部接続導体５の形成領域に引き出す電極部である。引出電極部２３は、第一の外部接続導体５に電気的且つ物理的に接続される。引出電極部２４は、Ｘ方向における第二の端面２ｆ側において主電極部２２と連接し、内部電極２１を第一の側面２ｃの第二の外部接続導体７の形成領域に引き出す電極部である。引出電極部２４は、第二の外部接続導体７に電気的且つ物理的に接続される。
【００２８】
積層コンデンサ１が回路基板に実装等されると、内部電極２１には、図示矢印Ａ１１で示される電流が流れる。そして、内部電極１１を介して第一の外部接続導体５へと流れ込んだ電流が、内部電極２１を介して、第二の外部接続導体７へと伝えられるようになる。
【００２９】
内部電極２６は、第一の外部接続導体６と第二の外部接続導体８とを接続するための内部接続導体である。内部電極２６は、主電極部２７と引出電極部２８，２９とを含む。主電極部２７は、Ｘ方向に伸びるように形成された矩形形状の電極部である。引出電極部２８は、Ｘ方向における略中央において主電極部２７と連接し、内部電極２６を第二の側面２ｄの第一の外部接続導体６の形成領域に引き出す電極部である。引出電極部２８は、第一の外部接続導体６に電気的且つ物理的に接続される。引出電極部２９は、Ｘ方向における第二の端面２ｆ側において主電極部２７と連接し、内部電極２６を第二の側面２ｄの第二の外部接続導体８の形成領域に引き出す電極部である。引出電極部２９は、第二の外部接続導体８に電気的且つ物理的に接続される。
【００３０】
積層コンデンサ１が回路基板に実装等されると、内部電極２６には、図示矢印Ａ１２で示される電流が流れる。そして、第二の外部接続導体８へと流れ込んだ電流が、内部電極２６を介して、第一の外部接続導体６へと伝えられるようになる。
【００３１】
静電容量部３０は、第一のＥＳＲ制御部１０が接続される第一の外部接続導体５，６とは異なる第二の外部接続導体７，８に接続され、積層コンデンサ１において静電容量を発生させる部分である。静電容量部３０は、図２（ｃ）に示されるように、それぞれが別の誘電体層２ｇ上に形成される内部電極３１，３６から構成される。内部電極３１，３６は、誘電体層２ｇを介して積層方向に互いに対向するように積層され、一対の内部電極層を構成するようになっている。
【００３２】
内部電極３１は、主電極部３２と引出電極部３３とを含み、第二の外部接続導体７に接続される。主電極部３２は、Ｘ方向に伸びるように形成された矩形形状の電極部である。引出電極部３３は、Ｘ方向における第二の端面２ｆ側において主電極部３２と連接し、内部電極３１を第一の側面２ｃの第二の外部接続導体７の形成領域に引き出す電極部である。引出電極部３３は、第二の外部接続導体７に電気的且つ物理的に接続される。内部電極３６は、主電極部３７と引出電極部３８とを含み、第二の外部接続導体８に接続される。主電極部３７は、Ｘ方向に伸びるように形成された矩形形状の電極部である。引出電極部３８は、Ｘ方向における第二の端面２ｆ側において主電極部３７と連接し、内部電極３６を第二の側面２ｄの第二の外部接続導体８の形成領域に引き出す電極部である。引出電極部３８は、第二の外部接続導体８に電気的且つ物理的に接続される。
【００３３】
積層コンデンサ１が回路基板に実装等されると、静電容量部３０では、互いに対向する内部電極３１，３６に図示矢印Ａ２３，Ａ２４で示される電流が流れ、その結果、両電極３１，３６の間に所定の静電容量が発生するようになる。
【００３４】
ここで、第一及び第二のＥＳＲ制御部１０，２０や静電容量部３０の素体２内における各種の配置構造（第一の配置構造〜第三の配置構造）について、図３〜図５を参照して説明する。積層コンデンサ１では、以下で説明する各種の配置構造の何れかを採用することで第二のＥＳＲ制御部２０の積層数や積層位置の少なくとも一方を変更し、この変更により、端子電極３（プラス電極Ｓ１）から静電容量部３０を介して端子電極４（マイナス電極Ｓ２）へと繋がる、積層コンデンサ１内における電流経路の長さを変えるようにしている。電流経路の長さは、積層コンデンサ１のＥＳＲ値と比例関係にあるため、積層コンデンサ１では、電流経路の長さを変えることで、ＥＳＲを所望の値に微調整できるようになっている。なお、ここで用いる「積層数」は、上述した一対の内部電極層を一層（一組）とするものである。
【００３５】
まず、図３に示される第一の配置構造では、素体２が全体として１０層構造からなる積層コンデンサ１において、第一及び第二のＥＳＲ制御部１０，２０がそれぞれ一層からなり、静電容量部３０が残りの８層からなっている。そして、一方の主面２ａ側である最上層に第二のＥＳＲ制御部２０が配置され、他方の主面２ｂ側である最下層に第一のＥＳＲ制御部１０が配置される。つまり、第一及び第二のＥＳＲ制御部１０，２０は、素体２に含まれる誘電体層２ｇの積層方向において、８層構造の静電容量部３０をその間に挟むように互いに離れて配置される。
【００３６】
このような第一の配置構造からなる積層コンデンサ１では、次のような電流経路となる。すなわち、図６及び図７の電流Ｉで示されるように、プラス側の電流経路は、端子電極３（プラス電極Ｓ１）から第一のＥＳＲ制御部１０の内部電極１１（主電極部１２と引出電極部１３，１４）を介して第一の外部接続導体５の下端へと繋がる電流経路と、第一の外部接続導体５の下端からその上端へと繋がる電流経路と、第一の外部接続導体５の上端から第二のＥＳＲ制御部２０の内部電極２１（主電極部２２と引出電極部２３，２４）を介して第二の外部接続導体７の上端へと繋がる電流経路と、第二の外部接続導体７の上端から各静電容量部３０（３３）へと繋がる電流経路との合計となる。
【００３７】
一方、図６及び図８の電流Ｉで示されるように、マイナス側の電流経路は、各静電容量部３０（３８）から第二の外部接続導体８の上端へと繋がる電流経路と、第二の外部接続導体８の上端から第二のＥＳＲ制御部２０の内部電極２６（主電極部２７と引出電極部２８，２９）を介して第一の外部接続導体６の上端へと繋がる電流経路と、第一の外部接続導体６の上端から下端へと繋がる電流経路と、第一の外部接続導体６の下端から第一のＥＳＲ制御部１０の内部電極１６（主電極部１７と引出電極部１８，１９）を介して端子電極４（マイナス電極Ｓ２）へと繋がる電流経路との合計となる。この場合、プラス側及びマイナス側において、第一の外部接続導体５，６の上下方向全体に電流経路を引き回して長めにするようにしているため、これに伴って抵抗Ｒが増加し、積層コンデンサ１のＥＳＲを高めの値とするように調整することができる。
【００３８】
これに対し、図４に示される第二の配置構造では、素体２が全体として１０層構造からなる積層コンデンサ１において、第一のＥＳＲ制御部１０が一層、第二のＥＳＲ制御部２０が二層からなり、静電容量部３０が残りの７層からなっている。すなわち、第二の配置構造では、第一の配置構造に比べ、第二のＥＳＲ制御部２０の積層数を変更している。そして、第一の配置構造と同様に最上層に配置された一層の第二のＥＳＲ制御部２０と最下層に配置された一層の第一のＥＳＲ制御部１０との積層方向における略中間層に、第二のＥＳＲ制御部２０の残りの一層を配置するようにしている。なお、静電容量部３０は、例えば、中間層に位置する第二のＥＳＲ制御部２０の上層に３層、その下層に４層が配置される。
【００３９】
第二の配置構造の場合、詳細な電流経路の説明については省略するが、プラス側及びマイナス側において、積層コンデンサ１は、第一の外部接続導体５，６の上下方向全体に電流経路を引き回して最上層の第二のＥＳＲ制御部２０を経由する第一の電流経路に加え、第一の外部接続導体５，６の上下方向の下端から中間層付近まで電流経路を引き回して中間層の第二のＥＳＲ制御部２０を経由する第二の電流経路も有することになる。これら第一及び第二の電流経路による抵抗Ｒは並列に接続されることになるため、第二の配置構造によれば、第一の配置構造に比べて、抵抗Ｒを多少、下げるといった微調整を行うことができ、その結果、積層コンデンサ１のＥＳＲの値を、第一の配置構造の場合と比べて、少し低めとするように微調整することが可能である。
【００４０】
また、図５に示される第三の配置構造では、素体２が全体として１０層構造からなる積層コンデンサ１において、第二の配置構造と同様、第一のＥＳＲ制御部１０が一層、第二のＥＳＲ制御部２０が二層からなり、静電容量部３０が残りの７層からなっている。その一方、第三の配置構造では、第二の配置構造と異なり、中間層に位置していた第二のＥＳＲ制御部２０を積層方向における中間層よりも上層となるように、その積層位置を変更している。なお、静電容量部３０は、例えば、中間層よりも上層となるように変更された第二のＥＳＲ制御部２０の上層に２層、その下層に５層が配置される。
【００４１】
第三の配置構造の場合、詳細な電流経路の説明については省略するが、第二の電流経路が少し長くなる分、第二の配置構造のように並列に接続される抵抗Ｒの内、第二の電流経路による抵抗Ｒの値を第二の配置構造よりも高めとすることができ、積層コンデンサ１のＥＳＲの値を第二の配置構造の場合と比べて、少し高めとするように微調整することができる。なお、第二及び三の配置構造において、最上層の第二のＥＳＲ制御部２０の積層位置を更に変えることで、第一の配置構造の場合と比べて第二のＥＳＲ制御部２０の積層数及び積層位置の両方を変更し、この変更により、ＥＳＲを微調整するようにしてももちろんよい。
【００４２】
以上のように、積層コンデンサ１及び積層コンデンサ１の等価直列抵抗の調整方法では、積層コンデンサ１が第一及び第二の外部接続導体５〜８に接続される第二のＥＳＲ制御部２０を備えており、第二のＥＳＲ制御部２０の積層数及び積層位置の少なくとも一方を例えば上述した第一の配置構造〜第三の配置構造の何れかに変更することにより、積層コンデンサ１の等価直列抵抗を所望の値に調整するようにしている。この第二のＥＳＲ制御部２０の積層数や積層位置といった要素は、積層コンデンサ１の積層工程等において、比較的調整し易い要素であり、これを変更することにより等価直列抵抗を調整するので、積層コンデンサ１の等価直列抵抗を微調整することが可能となっている。上述した配置構造では、第一の配置構造〜第三の配置構造を例示的に示したが、等価直列抵抗の調整するための構造はこれらに限定されるわけではない。
【００４３】
（第二実施形態）
次に、図９及び図１０を参照して、第二実施形態にかかる積層コンデンサ５１の構成について説明する。積層コンデンサ５１は、第一実施形態の積層コンデンサ１と同様、略直方体形状の素体２と、端子電極３，４と、第一の外部接続導体５，６と、第二の外部接続導体７，８とを備え、素体２の内部に、第一及び第二のＥＳＲ制御部６０，７０と、静電容量部８０とを備えている。
【００４４】
本実施形態では、図９に示されるように、積層コンデンサ５１が更に端子電極５３，５４を備えている点、第二の外部接続導体７，８の位置が交換されている点、及び、端子電極の増加や外部接続導体の位置変更により内部電極パターンが異なる点で第一実施形態と異なっている。以下、第一実施形態と異なる点を中心に説明する。なお、第一及び第二のＥＳＲ制御部６０，７０や静電容量部８０の積層数や積層位置を変更させることで、ＥＳＲを所望の値に調整する点は、第一実施形態と同様である。
【００４５】
端子電極５３，５４は、端子電極３，４と共に、第一のＥＳＲ制御部１０等に含まれる内部電極を、回路基板に形成されたプラス電極Ｓ１又はマイナス電極Ｓ２に接続させるための電極であり、素体２の外表面に配置される。端子電極５３は、端子電極３と同極性であり、端子電極３が接続されるプラス電極Ｓ１に接続される。端子電極５４は、端子電極４と同極性であり、端子電極４が接続されるマイナス電極Ｓ２に接続される。
【００４６】
ここで、端子電極や外部接続導体の配置について説明する。本実施形態では、図９に示されるように、端子電極３、第一の外部接続導体５、第二の外部接続導体８及び端子電極５３は、第一の端面２ｅから第二の端面２ｆに向かって、この順に第一の側面２ｃに配置される。一方、端子電極４、第一の外部接続導体６、第二の外部接続導体７及び端子電極５４は、第一の端面２ｅから第二の端面２ｆに向かって、この順に第二の側面２ｄに配置される。端子電極５３，５４は、素体２を挟んで互いに対向し、また、第一の主面２ａから第二の主面２ｂにまたがるように第一又は第二の側面２ｃ，２ｄにそれぞれ形成される。なお、各端子電極３，４，５３，５４や各外部接続導体５，６，７，８は、互いに電気的に絶縁されている。
【００４７】
続いて、積層体を構成する各部及び各部に含まれる内部電極について説明する。第一のＥＳＲ制御部６０は、積層コンデンサ５１のＥＳＲの増加等の制御を行う部分であり、図１０（ａ）に示されるように、それぞれが別の誘電体層２ｇ上に形成される内部電極６１，６６から構成される。内部電極６１，６６は、誘電体層２ｇを介して積層方向に互いに対向するように積層され、一対の内部電極層を構成するようになっている。
【００４８】
内部電極６１は、端子電極３，５３と第一の外部接続導体５とを接続するための内部接続導体である。内部電極６１は、主電極部６２と引出電極部６３ａ，６３ｂ，６４とを含む。主電極部６２は、矩形形状の電極部である。引出電極部６３ａは、Ｘ方向における第一の端面２ｅ側において主電極部６２と連接し、内部電極６１を第一の端子電極３の形成領域に引き出す電極部である。引出電極部６３ａは、第一の端子電極３に電気的且つ物理的に接続される。
【００４９】
引出電極部６３ｂは、Ｘ方向における第二の端面２ｆ側において主電極部６２と連接し、内部電極６１を端子電極５３の形成領域に引き出す電極部である。引出電極部６３ｂは、端子電極５３に電気的且つ物理的に接続される。引出電極部６４は、Ｘ方向における略中央から第一の端面２ｅ寄りの箇所において主電極部６２と連接し、内部電極６１を第一の外部接続導体５の形成領域に引き出す電極部である。引出電極部６４は、第一の外部接続導体５に電気的且つ物理的に接続される。なお、プラス電極Ｓ１から端子電極３，５３へと流れ込んだ電流は、第一実施形態と同様に、内部電極６１を介して第一の外部接続導体５へと伝えられる。
【００５０】
内部電極６６は、端子電極４，５４と第一の外部接続導体６とを接続するための内部接続導体である。内部電極６６は、主電極部６７と引出電極部６８ａ，６８ｂ，６９とを含む。主電極部６７は、矩形形状の電極部である。引出電極部６８ａは、Ｘ方向における第一の端面２ｅ側において主電極部６７と連接し、内部電極６６を第二の端子電極４の形成領域に引き出す電極部である。引出電極部６８ａは、第二の端子電極４に電気的且つ物理的に接続される。
【００５１】
引出電極部６８ｂは、Ｘ方向における第二の端面２ｆ側において主電極部６７と連接し、内部電極６６を端子電極５４の形成領域に引き出す電極部である。引出電極部６８ｂは、端子電極５４に電気的且つ物理的に接続される。引出電極部６９は、Ｘ方向における略中央から第一の端面２ｅ寄りの箇所において主電極部６７と連接し、内部電極６６を第一の外部接続導体６の形成領域に引き出す電極部である。引出電極部６９は、第一の外部接続導体６に電気的且つ物理的に接続される。なお、第一の外部接続導体６へと流れ込んだ電流は、内部電極６６を介して、端子電極４，５４やマイナス電極Ｓ２へと伝えられる。
【００５２】
第二のＥＳＲ制御部７０は、積層コンデンサ５１のＥＳＲの増加等の制御を行う部分であり、図１０（ｂ）に示されるように、それぞれが別の誘電体層２ｇ上に形成される内部電極７１，７６から構成される。内部電極７１，７６は、誘電体層２ｇを介して積層方向に互いに対向するように積層され、一対の内部電極層を構成するようになっている。
【００５３】
内部電極７１は、第一の外部接続導体５と第二の外部接続導体７とを接続するための内部接続導体である。内部電極７１は、主電極部７２と引出電極部７３，７４とを含む。主電極部７２は、矩形形状の電極部である。引出電極部７３は、Ｘ方向における略中央から第一の端面２ｅ寄りの箇所において主電極部７２と連接し、内部電極７１を第一の外部接続導体５の形成領域に引き出す電極部である。引出電極部７４は、Ｘ方向における略中央から第二の端面２ｆ寄りの箇所において主電極部７２と連接し、内部電極７１を第二の外部接続導体７の形成領域に引き出す電極部である。なお、第一の外部接続導体５へと流れ込んだ電流が内部電極７１を介して、第二の外部接続導体７へと伝えられる。
【００５４】
内部電極７６は、第一の外部接続導体６と第二の外部接続導体８とを接続するための内部接続導体である。内部電極７６は、主電極部７７と引出電極部７８，７９とを含む。主電極部７７は、矩形形状の電極部である。引出電極部７８は、Ｘ方向における略中央から第一の端面２ｅ寄りの箇所において主電極部７７と連接し、内部電極７６を第一の外部接続導体６の形成領域に引き出す電極部である。引出電極部７９は、Ｘ方向における略中央から第二の端面２ｆ寄りの箇所において主電極部７７と連接し、内部電極７６を第二の外部接続導体８の形成領域に引き出す電極部である。なお、第二の外部接続導体８へと流れ込んだ電流が内部電極７６を介して、第一の外部接続導体６へと伝えられる。
【００５５】
静電容量部８０は、積層コンデンサ５１において、静電容量を発生させる部分であり、図１０（ｃ）に示されるように、それぞれが別の誘電体層２ｇ上に形成される内部電極８１，８６から構成される。内部電極８１，８６は、誘電体層２ｇを介して積層方向に互いに対向するように積層され、一対の内部電極層を構成するようになっている。
【００５６】
内部電極８１は、主電極部８２と引出電極部８３とを含み、第二の外部接続導体７に接続される。主電極部８２は、矩形形状の電極部である。引出電極部８３は、Ｘ方向における略中央から第二の端面２ｆ寄りの箇所において主電極部８２と連接し、内部電極８１を第二の外部接続導体７の形成領域に引き出す電極部である。引出電極部８３は、第二の外部接続導体７に電気的且つ物理的に接続される。
【００５７】
内部電極８６は、主電極部８７と引出電極部８８とを含み、第二の外部接続導体８に接続される。主電極部８７は、矩形形状の電極部である。引出電極部８８は、Ｘ方向における略中央から第二の端面２ｆ寄りの箇所において主電極部８７と連接し、内部電極８６を第二の外部接続導体８の形成領域に引き出す電極部である。引出電極部８８は、第二の外部接続導体８に電気的且つ物理的に接続される。積層コンデンサ５１が回路基板に実装等されると、静電容量部８０では、互いに対向する内部電極８１，８６に電流が流れ、その結果、両電極８１，８６の間に所定の静電容量が発生するようになる。
【００５８】
以上のように、端子電極３，４に加えて端子電極５３，５４を備えている積層コンデンサ５１でも、第一実施形態と同様、第二のＥＳＲ制御部７０を備えていることから、第二のＥＳＲ制御部７０の積層数や積層位置の少なくとも一方を変更することにより、積層コンデンサ５１のＥＳＲを所望の値に調整することができる。
【００５９】
ここで、第二実施形態にかかる積層コンデンサ５１の変形例について図１１を参照して説明する。変形例にかかる積層コンデンサ５１は、第一及び第二のＥＳＲ制御部６０，７０や静電容量部８０に代えて、素体２の内部に、図１１に示されるように、第一及び第二のＥＳＲ制御部６０ａ，７０ａと静電容量部８０ａとを備えている。本変形例にかかる積層コンデンサ５１の第一の側面２ｃには、第一の端面２ｅから第二の端面２ｆに向かって、端子電極３、第二の外部接続導体８、第一の外部接続導体５及び端子電極５３の順で各電極や導体が配置される。一方、第二の側面２ｄには、第一の端面２ｅから第二の端面２ｆに向かって、端子電極４、第二の外部接続導体７、第一の外部接続導体６及び端子電極５４の順で各電極や導体が配置される。つまり、この変形例では、第一及び第二の外部接続導体５，８の位置がそれぞれ交換されており、また、第一及び第二の外部接続導体６，７の位置がそれぞれ交換されている。
【００６０】
この変形例にかかる積層コンデンサ５１では、各外部接続導体の位置が交換されているため、第一のＥＳＲ制御部６０ａにおいて、引出電極部６４が第二の端面２ｆ側に移動しており、引出電極部６９も第二の端面２ｆ側に移動している。第二のＥＳＲ制御部７０ａでは、引出電極部７３が第二の端面２ｆ側に移動している一方、引出電極部７４が第一の端面２ｅ側に移動している。また、引出電極部７８が第二の端面２ｆ側に移動している一方、引出電極部７９が第一の端面２ｅ側に移動している。静電容量部８０ａでは、引出電極部８３，８８が第一の端面２ｅ側に移動している。この変形例にかかる積層コンデンサ５１においても、第二のＥＳＲ制御部７０ａを備えており、第二のＥＳＲ制御部７０ａの積層数や積層位置の少なくとも一方を変更することにより、積層コンデンサ５１のＥＳＲを所望の値に調整することができる。
【００６１】
（第三実施形態）
次に、図１２及び図１３を参照して、第三実施形態にかかる積層コンデンサ１０１の構成について説明する。積層コンデンサ１０１は、第二実施形態の積層コンデンサ５１と同様、略直方体形状の素体２と、端子電極３，４，５３，５４と、第一の外部接続導体５，６と、第二の外部接続導体７，８とを備え、素体２の内部に、第一及び第二のＥＳＲ制御部１１０，１２０と、静電容量部１３０とを備えている。本実施形態では、図１２に示されるように、外部接続導体５〜８の配置箇所と端子電極５３，５４の配置箇所が第二実施形態と異なっている。以下、第二実施形態と異なる点を中心に説明する。
【００６２】
まず、端子電極や外部接続導体の配置について説明する。本実施形態では、図１２に示されるように、端子電極３、第二の外部接続導体８、第一の外部接続導体５及び端子電極５４は、第一の端面２ｅから第二の端面２ｆに向かって、この順に第一の側面２ｃに配置される。一方、端子電極４、第二の外部接続導体７、第一の外部接続導体６及び端子電極５３は、第一の端面２ｅから第二の端面２ｆに向かって、この順に第二の側面２ｄに配置される。
【００６３】
続いて、積層体を構成する各部及び各部に含まれる内部電極について説明する。第一のＥＳＲ制御部１１０は、図１３（ａ）に示されるように、それぞれが別の誘電体層２ｇ上に形成される内部電極１１１，１１６から構成される。内部電極１１１，１１６は、誘電体層２ｇを介して積層方向に互いに対向するように積層され、一対の内部電極層を構成するようになっている。
【００６４】
内部電極１１１は、端子電極３，５３と第一の外部接続導体５とを接続するための内部接続導体である。内部電極１１１は、主電極部１１２と引出電極部１１３ａ，１１３ｂ，１１４とを含む。引出電極部１１３ａは、Ｘ方向における第一の端面２ｅ側において主電極部１１２と連接し、内部電極１１１を端子電極３の形成領域に引き出す電極部である。引出電極部１１３ｂは、Ｘ方向における第二の端面２ｆ側において主電極部１１２と連接し、内部電極１１１を端子電極５３の形成領域に引き出す電極部である。引出電極部１１４は、Ｘ方向における略中央から第二の端面２ｆ寄りの箇所において主電極部１１２と連接し、内部電極１１１を第一の外部接続導体５の形成領域に引き出す電極部である。
【００６５】
内部電極１１６は、端子電極４，５４と第一の外部接続導体６とを接続するための内部接続導体である。内部電極１１６は、主電極部１１７と引出電極部１１８ａ，１１８ｂ，１１９とを含む。引出電極部１１８ａは、Ｘ方向における第一の端面２ｅ側において主電極部１１７と連接し、内部電極１１６を端子電極４の形成領域に引き出す電極部である。引出電極部１１８ｂは、Ｘ方向における第二の端面２ｆ側において主電極部１１７と連接し、内部電極１１６を端子電極５４の形成領域に引き出す電極部である。引出電極部１１９は、Ｘ方向における略中央から第二の端面２ｆ寄りの箇所において主電極部１１７と連接し、内部電極１１６を第一の外部接続導体６の形成領域に引き出す電極部である。
【００６６】
第二のＥＳＲ制御部１２０は、図１３（ｂ）に示されるように、それぞれが別の誘電体層２ｇ上に形成される内部電極１２１，１２６から構成される。内部電極１２１，１２６は、誘電体層２ｇを介して積層方向に互いに対向するように積層され、一対の内部電極層を構成するようになっている。
【００６７】
内部電極１２１は、第一の外部接続導体５と第二の外部接続導体７とを接続するための内部接続導体である。内部電極１２１は、主電極部１２２と引出電極部１２３，１２４とを含む。引出電極部１２３は、Ｘ方向における略中央から第二の端面２ｆ寄りの箇所において主電極部１２２と連接し、内部電極１２１を第一の外部接続導体５の形成領域に引き出す電極部である。引出電極部１２４は、Ｘ方向における略中央から第一の端面２ｅ寄りの箇所において主電極部１２２と連接し、内部電極１２１を第二の外部接続導体７の形成領域に引き出す電極部である。
【００６８】
内部電極１２６は、第一の外部接続導体６と第二の外部接続導体８とを接続するための内部接続導体である。内部電極１２６は、主電極部１２７と引出電極部１２８，１２９とを含む。引出電極部１２８は、Ｘ方向における略中央から第二の端面２ｆ寄りの箇所において主電極部１２７と連接し、内部電極１２６を第一の外部接続導体６の形成領域に引き出す電極部である。引出電極部１２９は、Ｘ方向における略中央から第一の端面２ｅ寄りの箇所において主電極部１２７と連接し、内部電極１２６を第二の外部接続導体８の形成領域に引き出す電極部である。
【００６９】
静電容量部１３０は、図１３（ｃ）に示されるように、それぞれが別の誘電体層２ｇ上に形成される内部電極１３１，１３６から構成される。内部電極１３１，１３６は、誘電体層２ｇを介して積層方向に互いに対向するように積層され、一対の内部電極層を構成するようになっている。
【００７０】
内部電極１３１は、主電極部１３２と引出電極部１３３とを含み、第二の外部接続導体７に接続される。引出電極部１３３は、Ｘ方向における略中央から第一の端面２ｅ寄りの箇所において主電極部１３２と連接し、内部電極１３１を第二の外部接続導体７の形成領域に引き出す電極部である。内部電極１３６は、主電極部１３７と引出電極部１３８とを含み、第二の外部接続導体８に接続される。引出電極部１３８は、Ｘ方向における略中央から第一の端面２ｅ寄りの箇所において主電極部１３７と連接し、内部電極１３６を第二の外部接続導体８の形成領域に引き出す電極部である。
【００７１】
以上のように、外部接続導体５〜８や端子電極５３，５４の配置箇所等が異なる積層コンデンサ１０１でも、第一又は第二実施形態と同様、第二のＥＳＲ制御部１２０を備えており、第二のＥＳＲ制御部１２０の積層数や積層位置の少なくとも一方を変更することにより、積層コンデンサ１０１のＥＳＲを所望の値に調整することができる。
【００７２】
ここで、第三実施形態にかかる積層コンデンサ１０１の変形例について図１４を参照して説明する。変形例にかかる積層コンデンサ１０１は、第一及び第二のＥＳＲ制御部１１０，１２０や静電容量部１３０に代えて、素体２の内部に、図１４に示されるように、第一及び第二のＥＳＲ制御部１１０ａ，１２０ａと静電容量部１３０ａとを備えている。変形例にかかる積層コンデンサ１０１の第一の側面２ｃには、第一の端面２ｅから第二の端面２ｆに向かって、端子電極３、第一の外部接続導体６、第二の外部接続導体７及び端子電極５４の順で各電極や導体が配置される。一方、第二の側面２ｄには、第一の端面２ｅから第二の端面２ｆに向かって、端子電極４、第一の外部接続導体５、第二の外部接続導体８及び端子電極５３の順で各電極や導体が配置される。この変形例にかかる積層コンデンサ１０１においても、第二のＥＳＲ制御部１２０ａを備えており、第二のＥＳＲ制御部１２０ａの積層数や積層位置の少なくとも一方を変更することにより、積層コンデンサ１０１のＥＳＲを所望の値に調整することができる。
【００７３】
（第四実施形態）
次に、図１５及び図１６を参照して、第四実施形態にかかる積層コンデンサ１５１の構成について説明する。積層コンデンサ１５１は、第一実施形態の積層コンデンサ１と同様、略直方体形状の素体２と、端子電極３，４と、第一の外部接続導体５，６と、第二の外部接続導体７，８とを備え、素体２の内部に、第一及び第二のＥＳＲ制御部１６０，１７０と、静電容量部１８０とを備えている。
【００７４】
本実施形態では、図１５に示されるように、積層コンデンサ１５１が、第三の外部接続導体１５５，１５６を更に備えている点で第一実施形態と異なっている。以下、第一実施形態と異なる点を中心に説明する。なお、第一及び第二のＥＳＲ制御部１６０，１７０や静電容量部１８０の積層数や積層位置を変更させることで、ＥＳＲを所望の値に調整する点は、第一実施形態と同様である。
【００７５】
まず、端子電極や外部接続導体の配置について説明する。本実施形態では、図１５に示されるように、端子電極３、第一の外部接続導体５、第三の外部接続導体１５５及び第二の外部接続導体７は、第一の端面２ｅから第二の端面２ｆに向かって、この順に第一の側面２ｃに配置される。一方、端子電極４、第一の外部接続導体６、第三の外部接続導体１５６及び第二の外部接続導体８は、第一の端面２ｅから第二の端面２ｆに向かって、この順に第二の側面２ｄに配置される。第三の外部接続導体１５５，１５６は、素体２を挟んで互いに対向する。なお、各端子電極３，４や各外部接続導体５，６，７，８，１５５，１５６は、互いに電気的に絶縁されている。
【００７６】
続いて、積層体を構成する各部及び各部に含まれる内部電極について説明する。第一のＥＳＲ制御部１６０は、積層コンデンサ１５１のＥＳＲの増加等の制御を行う部分であり、図１６（ａ）に示されるように、それぞれが別の誘電体層２ｇ上に形成される内部電極１６１，１６６から構成される。内部電極１６１，１６６は、誘電体層２ｇを介して積層方向に互いに対向するように積層され、一対の内部電極層を構成するようになっている。
【００７７】
内部電極１６１は、内部電極１１と略同様であり、主電極部１６２と引出電極部１６３，１６４とを含む。引出電極部１６４が、Ｘ方向における略中央から第一の端面２ｅ側に移動している点で相違する。内部電極１６６は、内部電極１６と略同様であり、主電極部１６７と引出電極部１６８，１６９とを含む。引出電極部１６９が、Ｘ方向における略中央から第一の端面２ｅ側に移動している点で相違する。
【００７８】
第二のＥＳＲ制御部１７０は、第一の外部接続導体５，６と第三の外部接続導体１５５，１５６とに接続される前段部１７０ａと、第三の外部接続導体１５５，１５６と第二の外部接続導体７，８とに接続される後段部１７０ｂとを含んで構成され、積層コンデンサ１５１のＥＳＲの増加等の制御を行う部分である。
【００７９】
第二のＥＳＲ制御部１７０の前段部１７０ａは、図１６（ｂ）に示されるように、それぞれが別の誘電体層２ｇ上に形成される内部電極１７１ａ，１７６ａから構成される。内部電極１７１ａ，１７６ａは、誘電体層２ｇを介して積層方向に互いに対向するように積層され、一対の内部電極層を構成するようになっている。また、第二のＥＳＲ制御部１７０の後段部１７０ｂは、図１６（ｃ）に示されるように、それぞれが別の誘電体層２ｇ上に形成される内部電極１７１ｂ，１７６ｂから構成される。内部電極１７１ｂ，１７６ｂは、誘電体層２ｇを介して積層方向に互いに対向するように積層され、一対の内部電極層を構成するようになっている。
【００８０】
内部電極１７１ａは、第一の外部接続導体５と第三の外部接続導体１５５とを接続するための内部接続導体である。内部電極１７１ａは、主電極部１７２ａと引出電極部１７３ａ，１７４ａとを含む。主電極部１７２ａは、矩形形状の電極部である。引出電極部１７３ａは、Ｘ方向における略中央から第一の端面２ｅ側において主電極部１７２ａと連接し、内部電極１７１ａを第一の側面２ｃの第一の外部接続導体５の形成領域に引き出す電極部である。引出電極部１７３ａは、第一の外部接続導体５に電気的且つ物理的に接続される。引出電極部１７４ａは、Ｘ方向における略中央から第二の端面２ｆ側において主電極部１７２ａと連接し、内部電極１７１ａを第一の側面２ｃの第三の外部接続導体１５５の形成領域に引き出す電極部である。引出電極部１７４ａは、第三の外部接続導体１５５に電気的且つ物理的に接続される。
【００８１】
内部電極１７６ａは、第一の外部接続導体６と第三の外部接続導体１５６とを接続するための内部接続導体である。内部電極１７６ａは、主電極部１７７ａと引出電極部１７８ａ，１７９ａとを含む。主電極部１７７ａは、Ｘ方向に伸びるように形成された矩形形状の電極部である。引出電極部１７８ａは、Ｘ方向における略中央から第一の端面２ｅ側において主電極部１７７ａと連接し、内部電極１７６ａを第二の側面２ｄの第一の外部接続導体６の形成領域に引き出す電極部である。引出電極部１７８ａは、第一の外部接続導体６に電気的且つ物理的に接続される。引出電極部１７９ａは、Ｘ方向における略中央から第二の端面２ｆ側において主電極部１７７ａと連接し、内部電極１７６ａを第二の側面２ｄの第三の外部接続導体１５６の形成領域に引き出す電極部である。引出電極部１７９ａは、第三の外部接続導体１５６に電気的且つ物理的に接続される。
【００８２】
内部電極１７１ｂは、第三の外部接続導体１５５と第二の外部接続導体７とを接続するための内部接続導体である。内部電極１７１ｂは、主電極部１７２ｂと引出電極部１７３ｂ，１７４ｂとを含む。主電極部１７２ｂは、矩形形状の電極部である。引出電極部１７３ｂは、Ｘ方向における略中央から第二の端面２ｆ側において主電極部１７２ｂと連接し、内部電極１７１ｂを第一の側面２ｃの第三の外部接続導体１５５の形成領域に引き出す電極部である。引出電極部１７３ｂは、第三の外部接続導体１５５に電気的且つ物理的に接続される。引出電極部１７４ｂは、Ｘ方向における第二の端面２ｆ側において主電極部１７２ｂと連接し、内部電極１７１ｂを第一の側面２ｃの第二の外部接続導体７の形成領域に引き出す電極部である。引出電極部１７４ｂは、第二の外部接続導体７に電気的且つ物理的に接続される。
【００８３】
内部電極１７６ｂは、第三の外部接続導体１５６と第二の外部接続導体８とを接続するための内部接続導体である。内部電極１７６ｂは、主電極部１７７ｂと引出電極部１７８ｂ，１７９ｂとを含む。主電極部１７７ｂは、矩形形状の電極部である。引出電極部１７８ｂは、Ｘ方向における略中央から第二の端面２ｆ側において主電極部１７７ｂと連接し、内部電極１７６ｂを第二の側面２ｄの第三の外部接続導体１５６の形成領域に引き出す電極部である。引出電極部１７８ｂは、第三の外部接続導体１５６に電気的且つ物理的に接続される。引出電極部１７９ｂは、Ｘ方向における第二の端面２ｆ側において主電極部１７７ｂと連接し、内部電極１７６ｂを第二の側面２ｄの第二の外部接続導体８の形成領域に引き出す電極部である。引出電極部１７９ｂは、第二の外部接続導体８に電気的且つ物理的に接続される。
【００８４】
静電容量部１８０は、積層コンデンサ１５１において、静電容量を発生させる部分であり、図１６（ｄ）に示されるように、それぞれが別の誘電体層２ｇ上に形成される内部電極１８１，１８６から構成される。内部電極１８１，１８６は、誘電体層２ｇを介して積層方向に互いに対向するように積層され、一対の内部電極層を構成するようになっている。
【００８５】
内部電極１８１は、主電極部１８２と引出電極部１８３とを含み、第二の外部接続導体７に接続される。引出電極部１８３は、Ｘ方向における第二の端面２ｆ側において主電極部１８２と連接し、内部電極１８１を第二の外部接続導体７の形成領域に引き出す電極部である。内部電極１８６は、主電極部１８７と引出電極部１８８とを含み、第二の外部接続導体８に接続される。引出電極部１８８は、Ｘ方向における第二の端面２ｆ側において主電極部１８７と連接し、内部電極１８６を第二の外部接続導体８の形成領域に引き出す電極部である。なお、積層コンデンサ１５１が回路基板に実装等されると、各内部電極には、図１６（ａ）〜（ｄ）の各矢印で示されるように電流が流れるようになっている。
【００８６】
以上のように、本実施形態に係る積層コンデンサ１５１でも、他の実施形態と同様、第二のＥＳＲ制御部１７０を備えており、第二のＥＳＲ制御部１７０の積層数や積層位置の少なくとも一方を変更することにより、積層コンデンサ１５１のＥＳＲを所望の値に調整することができる。
【００８７】
また、積層コンデンサ１５１は、第三の外部接続導体１５５，１５６を更に備え、第二のＥＳＲ制御部１７０が前段部１７０ａと後段部１７０ｂとの２つの部分から構成されており、前段部１７０ａと後段部１７０ｂの内部電極１７１ａ，１７１ｂ，１７６ａ，１７６ｂが第三の外部接続導体１５５，１５６により互いに接続されている。このように、第二のＥＳＲ制御部１７０が前段部１７０ａの内部電極と後段部１７０ｂの内部電極とを有するようにしたことから、本実施形態によれば、第二のＥＳＲ制御部１７０における電流経路を長くすることができ、その結果、ＥＳＲを増加させるといった更なる微調整を行うことができる。
【００８８】
（第五実施形態）
次に、図１７及び図１８を参照して、第五実施形態にかかる積層コンデンサ２０１の構成について説明する。積層コンデンサ２０１は、第二実施形態の積層コンデンサ５１と同様、略直方体形状の素体２と、端子電極３，４，５３，５４と、第一の外部接続導体５，６と、第二の外部接続導体７，８とを備え、素体２の内部に、第一及び第二のＥＳＲ制御部２１０，２２０と、静電容量部２３０とを備えている。
【００８９】
本実施形態では、積層コンデンサ２０１が更に第三のＥＳＲ制御部２４０を備えている点や端子電極と外部接続導体の配置が異なっている点で第二実施形態と異なっている。以下、第二実施形態と異なる点を中心に説明する。なお、第一及び第二のＥＳＲ制御部２１０，２２０や静電容量部２３０の積層数や積層位置を変更させることで、ＥＳＲを所望の値に調整できる点は、第一実施形態と同様である。
【００９０】
まず、端子電極や外部接続導体の配置について説明する。本実施形態では、図１７に示されるように、端子電極５３、第一の外部接続導体６、第二の外部接続導体７及び端子電極４は、第一の端面２ｅから第二の端面２ｆに向かって、この順に第一の側面２ｃに配置される。一方、端子電極５４、第一の外部接続導体５、第二の外部接続導体８及び端子電極３は、第一の端面２ｅから第二の端面２ｆに向かって、この順に第二の側面２ｄに配置される。
【００９１】
続いて、積層体を構成する各部及び各部に含まれる内部電極について説明する。第一のＥＳＲ制御部２１０は、図１８（ａ）に示されるように、内部電極２１１，２１６から構成される。内部電極２１１は、主電極部２１２と引出電極部２１３，２１４とを含み、端子電極３と第一の外部接続導体５とを接続する。内部電極２１６は、主電極部２１７と引出電極部２１８，２１９とを含み、端子電極４と第一の外部接続導体６とを接続する。
【００９２】
また、第三のＥＳＲ制御部２４０は、第一のＥＳＲ制御部２１０と同様、積層コンデンサ２０１のＥＳＲの増加等の制御を行う部分であり、図１８（ａ）に示されるように、第一のＥＳＲ制御部２１０の内部電極２１１，２１６それぞれと同層に位置する内部電極２４１，２４６から構成される。内部電極２４１は、主電極部２４２と引出電極部２４３，２４４とを含み、端子電極５３と第二の外部接続導体７とを接続する。内部電極２４６は、主電極２４７と引出電極部２４８，２４９とを含み、端子電極５４と第二の外部接続導体８とを接続する。
【００９３】
第二のＥＳＲ制御部２２０は、図１８（ｂ）に示されるように、内部電極２２１，２２６から構成される。内部電極２２１は、主電極部２２２と引出電極部２２３，２２４とを含み、第一の外部接続導体５と第二の外部接続導体７とを接続する。内部電極２２６は、主電極部２２７と引出電極部２２８，２２９とを含み、第一の外部接続導体６と第二の外部接続導体８とを接続する。
【００９４】
静電容量部２３０は、図１８（ｃ）に示されるように、内部電極２３１，２３６から構成される。内部電極２３１は、主電極部２３２と引出電極部２３３とを含み、第二の外部接続導体７に接続される。第二の外部接続導体７には、第二のＥＳＲ制御部２２０の内部電極２２１だけでなく、第三のＥＳＲ制御部２４０の内部電極２４１も接続されている。内部電極２３６は、主電極部２３７と引出電極部２３８とを含み、第二の外部接続導体８に接続される。第二の外部接続導体８には、第二のＥＳＲ制御部２２０の内部電極２２６だけでなく、第三のＥＳＲ制御部２４０の内部電極２４６も接続されている。積層コンデンサ２０１が回路基板に実装等されると、静電容量部２３０では、互いに対向する内部電極２３１，２３６に電流が流れ、その結果、両電極２３１，２３６の間に所定の静電容量が発生する。
【００９５】
以上のように、本実施形態に係る積層コンデンサ２０１でも、第二実施形態と同様、第二のＥＳＲ制御部２２０を備えており、第二のＥＳＲ制御部２２０の積層数や積層位置の少なくとも一方を変更することにより、積層コンデンサ２０１のＥＳＲを所望の値に調整することができる。
【００９６】
また、積層コンデンサ２０１では、端子電極は、同極性に接続される端子電極３，５３と４，５４とから構成され、第一のＥＳＲ制御部２１０の内部電極２１１，２１６が端子電極３，４に接続されている。そして、積層コンデンサ２０１は、第一のＥＳＲ制御部２１０が接続される端子電極３，４とは異なる端子電極５３，５４と静電容量部２３０が接続される外部接続導体７，８とに接続される第三のＥＳＲ制御部２４０を備えている。
【００９７】
この場合、積層コンデンサ２０１は、第一及び第二のＥＳＲ制御部２１０，２２０を介して端子電極３，４と静電容量部２３０とを繋ぐ電流経路に加え、第三のＥＳＲ制御部２４０を介して端子電極５３，５４と静電容量部２３０とを繋ぐ別の電流経路を並列状態で有することとなる。このように積層コンデンサ２０１が並列に配置される二種類の電流経路を備えることにより、第一実施形態で第二のＥＳＲ制御部を増やした場合と同様、等価直列抵抗の更なる微調整を行うことができる。いいかえると、これら２つの電流経路をそれぞれ異なる長さにすることができるため、第一及び第二のＥＳＲ制御部２１０，２２０を介して端子電極３，４と静電容量部２３０とを繋ぐ電流経路における抵抗Ｒ１と、第三のＥＳＲ制御部２４０を介して端子電極５３，５４と静電容量部２３０とを繋ぐ電流経路における抵抗Ｒ２とを互いに異ならせた上で、並列に配置し、これにより、ＥＳＲを調整することができる。
【００９８】
しかも、本実施形態では、第一実施形態と異なり、第一及び第二のＥＳＲ制御部２１０，２２０とは内部電極パターンが異なる第三のＥＳＲ制御部２４０によって別の電流経路を設けるようにしている。このため、第三のＥＳＲ制御部２４０による電流経路の長さを、第一又は第二のＥＳＲ制御部２１０，２２０とは関係なく設定することができ、抵抗Ｒ２の値を一層細かく又は自由に設定でき、その結果、積層コンデンサ２０１におけるＥＳＲの値を一層、微調整することができる。
【００９９】
なお、上述した実施形態では、第一のＥＳＲ制御部２１０の内部電極２１１，２１６と第三のＥＳＲ制御部２４０の内部電極２４１，２４６とが誘電体層２ｇの積層方向において同層に形成される例を示したが、図１９（ａ）、（ｂ）に示されるように、第一のＥＳＲ制御部２１０の内部電極２１１，２１６と第三のＥＳＲ制御部２４０の内部電極２４１，２４６とが誘電体層２ｇの積層方向において異なる層にそれぞれ形成されるようにしてもよい。この場合、同層に形成される場合に比べ、第一、第二及び第三のＥＳＲ制御部２１０，２２０，２４０や静電容量部２３０の位置等の変更バリエーションを増やすことができ、積層コンデンサ２０１のＥＳＲの微調整を一層容易に行うことができる。
【０１００】
例えば、第一，第二及び第三のＥＳＲ制御部２１０，２２０，２４０や静電容量部２３０の素体２内における配置構造を図２０に示す。図２０の配置構造では、積層方向の下層（主面２ｂ）側から上層（主面２ａ）側に向かって、第一のＥＳＲ制御部２１０、第二のＥＳＲ制御部２２０、静電容量部２３０及び第三のＥＳＲ制御部２４０の順で配置されている。図示左側の矢印は、プラス電極側における電流Ｉの流れを模式的に示したものであり、図示右側の矢印は、マイナス電極側における電流Ｉの流れを模式的に示したものである。
【０１０１】
そして、このような配置構造の積層コンデンサ２０１の配置構造を、例えば、図２１（ａ）に示されるように、積層方向の下層側から上層側に向かって第一のＥＳＲ制御部２１０、静電容量部２３０、第三のＥＳＲ制御部２４０及び第二のＥＳＲ制御部２２０の順に配置するように変更する。図示右側の矢印は、第一及び第二のＥＳＲ制御部２１０，２２０を介した電流Ｉの流れを模式的に示したものであり、図示左側の矢印は、第三のＥＳＲ制御部２４０を介した電流Ｉの流れを模式的に示したものである（プラス電極側のみ図示）。このような場合、図２１（ａ）からも明らかなように、第一及び第二のＥＳＲ制御部２１０，２２０を繋ぐ電流経路が長くなるため、第一及び第二のＥＳＲ制御部２１０，２２０を介する電流経路における抵抗Ｒ１を、図２０の配置構造の場合に比べて、増大させるといった調整を行うことができる。
【０１０２】
また、図２０に示された配置構造の積層コンデンサ２０１の配置構造を、例えば、図２１（ｂ）に示されるように、積層方向の下層側から上層側に向かって静電容量部２３０、第二のＥＳＲ制御部２２０、第一のＥＳＲ制御部２１０及び第三のＥＳＲ制御部２４０の順に配置するように変更する。図示右側の矢印は、第一及び第二のＥＳＲ制御部２１０，２２０を介した電流Ｉの流れを模式的に示したものであり、図示左側の矢印は、第三のＥＳＲ制御部２４０を介した電流Ｉの流れを模式的に示したものである（プラス電極側のみ図示）。このような場合、図２１（ｂ）からも明らかなように、第三のＥＳＲ制御部２４０を繋ぐ電流経路が長くなるため、第三のＥＳＲ制御部２４０を介する電流経路における抵抗Ｒ２を、図２０の配置構造の場合に比べて、増大させるといった調整を行うことができる。
【０１０３】
また、図２０に示された配置構造の積層コンデンサ２０１の配置構造を、例えば、図２１（ｃ）に示されるように、積層方向の下層側から上層側に向かって第一のＥＳＲ制御部２１０、静電容量部２３０、第二のＥＳＲ制御部２２０及び第三のＥＳＲ制御部２４０の順に配置するように変更する。図示右側の矢印は、第一及び第二のＥＳＲ制御部２１０，２２０を介した電流Ｉの流れを模式的に示したものであり、図示左側の矢印は、第三のＥＳＲ制御部２４０を介した電流Ｉの流れを模式的に示したものである（プラス電極側のみ図示）。このような場合、図２１（ｃ）からも明らかなように、第一及び第二のＥＳＲ制御部２１０，２２０を繋ぐ電流経路と第三のＥＳＲ制御部２４０を繋ぐ電流経路との両方がある程度、長くなるため、図２０の配置構造の場合に比べて、両抵抗Ｒ１，Ｒ２をある程度、増大させるといった調整を行うことができる。
【０１０４】
（第六実施形態）
次に、図２２〜図２４を参照して、第六実施形態にかかる積層コンデンサ２５１の構成について説明する。積層コンデンサ２５１は、第五実施形態の積層コンデンサ２０１と同様、略直方体形状の素体２と、端子電極３，４，５３，５４と、第一の外部接続導体５，６と、第二の外部接続導体７，８とを備え、素体２の内部に、第一及び第二のＥＳＲ制御部２１０，２２０と、静電容量部２３０とを備えている。
【０１０５】
本実施形態では、第五実施形態と異なり、第三のＥＳＲ制御部２４０に代えて第四のＥＳＲ制御部２６０を備え、更に、第四の外部接続導体２５５，２５６と静電容量部２８０とを備えている。以下、第五実施形態と異なる点を中心に説明する。なお、第一及び第二のＥＳＲ制御部２１０，２２０や静電容量部２３０の積層数や積層位置を変更させることで、ＥＳＲを所望の値に調整できる点は同様である。
【０１０６】
第四の外部接続導体２５５，２５６は、第四のＥＳＲ制御部２６０に含まれる内部電極と静電容量部２８０に含まれる内部電極を相互に接続するための外部接続導体であり、図２２に示されるように、素体２の第一及び第二の端面２ｅ，２ｆにそれぞれ対向して配置される。第四の外部接続導体２５５，２５６は、回路基板に形成されたプラス電極Ｓ１及びマイナス電極Ｓ２のいずれにも接続されないようになっている。各端子電極３，４，５３，５４や各外部接続導体５〜８，２５５，２５６は、素体２の外表面において互いに電気的に絶縁されている。
【０１０７】
続いて、積層体を構成する各部及び各部に含まれる内部電極について説明する。第一及び第二のＥＳＲ制御部２１０，２２０及び静電容量部２３０は、図２３に示されるように、第五実施形態と同様である。また、第四のＥＳＲ制御部２６０は、図２４（ａ）に示されるように、それぞれが別の誘電体層２ｇ上に形成される内部電極２６１，２６６から構成される。内部電極２６１，２６６は、誘電体層２ｇを介して積層方向に互いに対向するように積層され、一対の内部電極層を構成するようになっている。
【０１０８】
内部電極２６１は、端子電極５３と第四の外部接続導体２５５とを接続するための内部接続導体である。内部電極２６１は、主電極部２６２と引出電極部２６３，２６４とを含む。主電極部２６２は、矩形形状の電極部である。引出電極部２６３は、Ｘ方向における第一の端面２ｅ側において主電極部２６２と連接し、内部電極２６１を端子電極５３の形成領域に引き出す電極部である。引出電極部２６３は、端子電極５３に電気的且つ物理的に接続される。引出電極部２６４は、第二の端面２ｆ側において主電極部２６２と連接し、内部電極２６１を第四の外部接続導体２５５の形成領域に引き出す電極部である。引出電極部２６４は、第四の外部接続導体２５５に電気的且つ物理的に接続される。なお、プラス電極Ｓ１から端子電極５３へと流れ込んだ電流は、内部電極２６１を介して第四の外部接続導体２５５へと伝えられる。
【０１０９】
内部電極２６６は、端子電極５４と第四の外部接続導体２５６とを接続するための内部接続導体である。内部電極２６６は、主電極部２６７と引出電極部２６８，２６９とを含む。主電極部２６７は、矩形形状の電極部である。引出電極部２６８は、Ｘ方向における第一の端面２ｅ側において主電極部２６７と連接し、内部電極２６６を端子電極５４の形成領域に引き出す電極部である。引出電極部２６８は、端子電極５４に電気的且つ物理的に接続される。引出電極部２６９は、第一の端面２ｅ側において主電極部２６７と連接し、内部電極２６６を第四の外部接続導体２５６の形成領域に引き出す電極部である。引出電極部２６９は、第四の外部接続導体２５６に電気的且つ物理的に接続される。なお、第四の外部接続導体２５６へと流れ込んだ電流は、内部電極２６６を介して、端子電極５４やマイナス電極Ｓ２へと伝えられる。
【０１１０】
静電容量部２８０は、積層コンデンサ２５１において、静電容量部２３０と共に静電容量を発生させる部分であり、図２４（ｂ）に示されるように、それぞれが別の誘電体層２ｇ上に形成される内部電極２８１，２８６から構成される。内部電極２８１，２８６は、誘電体層２ｇを介して積層方向に互いに対向するように積層され、一対の内部電極層を構成するようになっている。
【０１１１】
内部電極２８１は、主電極部２８２と引出電極部２８３とを含み、第四の外部接続導体２５５に接続される。主電極部２８２は、矩形形状の電極部である。引出電極部２８３は、Ｘ方向における第二の端面２ｆ側において主電極部２８２と連接し、内部電極２８１を第四の外部接続導体２５５の形成領域に引き出す電極部である。引出電極部２８３は、第四の外部接続導体２５５に電気的且つ物理的に接続される。
【０１１２】
内部電極２８６は、主電極部２８７と引出電極部２８８とを含み、第四の外部接続導体２５６に接続される。主電極部２８７は、矩形形状の電極部である。引出電極部２８８は、Ｘ方向における第一の端面２ｅ側において主電極部２８７と連接し、内部電極２８６を第四の外部接続導体２５６の形成領域に引き出す電極部である。引出電極部２８８は、第四の外部接続導体２５６に電気的且つ物理的に接続される。積層コンデンサ２５１が回路基板に実装等されると、静電容量部２８０では、互いに対向する内部電極２８１，２８６に電流が流れ、その結果、両電極２８１，２８６の間に所定の静電容量が発生するようになる。
【０１１３】
以上のように、第四のＥＳＲ制御部２６０等を備えている積層コンデンサ２５１でも、第五実施形態等と同様、第二のＥＳＲ制御部２２０を備えていることから、第二のＥＳＲ制御部２２０の積層数や積層位置の少なくとも一方を変更することにより、積層コンデンサ２５１のＥＳＲを所望の値に調整することができる。
【０１１４】
また、積層コンデンサ２５１では、端子電極は、同極性に接続される端子電極３，５３と４，５４とから構成され、第一のＥＳＲ制御部２１０の内部電極２１１，２１６が端子電極３，４に接続されている。そして、積層コンデンサ２５１は、更に、第四の外部接続導体２５５，２５６と、第四の外部接続導体２５５，２５６に接続される静電容量部２８０と、端子電極５３，５４と第四の外部接続導体２５５，２５６とに接続される第四のＥＳＲ制御部２６０とを備えている。
【０１１５】
この場合、積層コンデンサ２５１は、第一及び第二のＥＳＲ制御部２１０，２２０を介して端子電極３，４と静電容量部２３０とを繋ぐ電流経路に加え、第四のＥＳＲ制御部２６０を介して端子電極５３，５４と静電容量部２８０とを繋ぐ別の電流経路を並列状態で有することとなる。このように積層コンデンサ２５１が並列に配置される二種類の電流経路を備えることにより、第五実施形態と同様、ＥＳＲの更なる微調整を行うことができる。しかも、本実施形態では、第五実施形態と同様、第一及び第二のＥＳＲ制御部２１０，２２０とは内部電極パターンが異なる第四のＥＳＲ制御部２６０によって別の電流経路を設けるようにしている。このため、第四のＥＳＲ制御部２６０による電流経路の長さを、第一又は第二のＥＳＲ制御部２１０，２２０とは関係なく設定することができ、第四のＥＳＲ制御部による電流経路の抵抗の値を一層細かく又は自由に設定できる。その結果、積層コンデンサ２５１におけるＥＳＲの値を一層、微調整することができる。
【０１１６】
（第七実施形態）
次に、図２５及び図２６を参照して、第七実施形態にかかる積層コンデンサ３０１の構成について説明する。積層コンデンサ３０１は、第二実施形態の積層コンデンサ５１と同様、略直方体形状の素体２と、端子電極３，４，５３，５４と、外部接続導体５〜８とを備え、素体２の内部に、第一及び第二のＥＳＲ制御部３１０，３２０と静電容量部３３０とを備えている。本実施形態では、第一の端面２ｅから第二の端面２ｆに向かって、第一の側面２ｃに、外部接続導体７、端子電極３、端子電極５３及び外部接続導体５の順で電極等が配置され、第二の側面２ｄには、外部接続導体８、端子電極４、端子電極５４及び外部接続導体６の順で電極等が配置される。なお、第一及び第二のＥＳＲ制御部３１０，３２０や静電容量部３３０の積層数や積層位置を変更させることで、ＥＳＲを所望の値に調整できる点は他の実施形態と同様である。
【０１１７】
第一のＥＳＲ制御部３１０は、図２６（ａ）に示されるように、それぞれが別の誘電体層２ｇ上に形成される内部電極３１１，３１６から構成される。内部電極３１１，３１６は、誘電体層２ｇを介して積層方向に互いに対向するように積層され、一対の内部電極層を構成する。内部電極３１１は、主電極部３１２と引出電極部３１３ａ，３１３ｂ，３１４とを含み、端子電極３，５３と外部接続導体５とを接続する。内部電極３１６は、主電極部３１７と引出電極部３１８ａ，３１８ｂ，３１９とを含み、端子電極４，５４と外部接続導体６とを接続する。
【０１１８】
第二のＥＳＲ制御部３２０は、図２６（ｂ）に示されるように、それぞれが別の誘電体層２ｇ上に形成される内部電極３２１，３２６から構成される。内部電極３２１，３２６は、誘電体層２ｇを介して積層方向に互いに対向するように積層され、一対の内部電極層を構成する。内部電極３２１は、主電極部３２２と引出電極部３２３，３２４とを含み、外部接続導体５，７を接続する。内部電極３２６は、主電極部３２７と引出電極部３２８，３２９とを含み、外部接続導体６，８を接続する。
【０１１９】
静電容量部３３０は、図２６（ｃ）に示されるように、それぞれが別の誘電体層２ｇ上に形成される内部電極３３１，３３６から構成される。内部電極３３１，３３６は、誘電体層２ｇを介して積層方向に互いに対向するように積層され、一対の内部電極層を構成する。内部電極３３１は、主電極部３３２と引出電極部３３３とを含み、外部接続導体７に接続する。内部電極３３６は、主電極部３３７と引出電極部３３８とを含み、外部接続導体８に接続する。
【０１２０】
以上のように、上述したような内部電極パターンを備えた積層コンデンサ３０１でも、上述した各実施形態と同様、第二のＥＳＲ制御部３２０を備えており、第二のＥＳＲ制御部３２０の積層数や積層位置の少なくとも一方を変更することにより、積層コンデンサ３０１のＥＳＲを所望の値に調整することができる。
【０１２１】
ここで、第七実施形態にかかる積層コンデンサ３０１の変形例について図２７〜図４１を参照して簡単に説明する。第一変形例にかかる積層コンデンサ３０１は、図２７に示されるように、第一及び第二のＥＳＲ制御部３１０ａ，３２０ａと静電容量部３３０ａとを備えている。第一変形例では、第一の端面２ｅから第二の端面２ｆに向かって、第一の側面２ｃに、外部接続導体５、端子電極３、端子電極５３及び外部接続導体７の順で電極等が配置され、第二の側面２ｄには、外部接続導体６、端子電極４、端子電極５４及び外部接続導体８の順で電極等が配置される。そして、第一変形例では、このような電極等の配置に応じて、各内部電極の引出電極部３１４，３１９，３２３，３２４，３２８，３２９，３３３，３３８の位置が図２７に示されるように変更されている。
【０１２２】
また、第二変形例にかかる積層コンデンサ３０１は、図２８に示されるように、第一及び第二のＥＳＲ制御部３１０ｂ，３２０ｂと静電容量部３３０ｂとを備えている。第二変形例では、第一の端面２ｅから第二の端面２ｆに向かって、第一の側面２ｃに、外部接続導体８、端子電極３、端子電極５３及び外部接続導体５の順で電極等が配置され、第二の側面２ｄには、外部接続導体７、端子電極４、端子電極５４及び外部接続導体６の順で電極等が配置される。そして、第二変形例では、このような電極等の配置に応じて、各内部電極の引出電極部３２４，３２９，３３３，３３８の位置が図２８に示されるように変更されている。
【０１２３】
また、第三変形例にかかる積層コンデンサ３０１は、図２９に示されるように、第一及び第二のＥＳＲ制御部３１０ｃ，３２０ｃと静電容量部３３０ｃとを備えている。第三変形例では、第一の端面２ｅから第二の端面２ｆに向かって、第一の側面２ｃに、外部接続導体５、端子電極３、端子電極５３及び外部接続導体８の順で電極等が配置され、第二の側面２ｄには、外部接続導体６、端子電極４、端子電極５４及び外部接続導体７の順で電極等が配置される。そして、第三変形例では、このような電極等の配置に応じて、各内部電極の引出電極部３１４，３１９，３２３，３２４，３２８，３２９，３３３，３３８の位置が図２９に示されるように変更されている。
【０１２４】
また、第四変形例にかかる積層コンデンサ３０１は、図３０に示されるように、第一及び第二のＥＳＲ制御部３１０ｄ，３２０ｄと静電容量部３３０ｄとを備えている。第四変形例では、第一の端面２ｅから第二の端面２ｆに向かって、第一の側面２ｃに、外部接続導体８、端子電極３、端子電極５３及び外部接続導体６の順で電極等が配置され、第二の側面２ｄには、外部接続導体７、端子電極４、端子電極５４及び外部接続導体５の順で電極等が配置される。そして、第四変形例では、このような電極等の配置に応じて、各内部電極の引出電極部３１４，３１９，３２３，３２４，３２８，３２９，３３３，３３８の位置が図３０に示されるように変更されている。
【０１２５】
また、第五変形例にかかる積層コンデンサ３０１は、図３１に示されるように、第一及び第二のＥＳＲ制御部３１０ｅ，３２０ｅと静電容量部３３０ｅとを備えている。第五変形例では、第一の端面２ｅから第二の端面２ｆに向かって、第一の側面２ｃに、外部接続導体６、端子電極３、端子電極５３及び外部接続導体８の順で電極等が配置され、第二の側面２ｄには、外部接続導体５、端子電極４、端子電極５４及び外部接続導体７の順で電極等が配置される。そして、第五変形例では、このような電極等の配置に応じて、各内部電極の引出電極部３１４，３１９，３２３，３２４，３２８，３２９，３３３，３３８の位置が図３１に示されるように変更されている。
【０１２６】
また、第六変形例にかかる積層コンデンサ３０１は、図３２に示されるように、第一及び第二のＥＳＲ制御部３１０ｆ，３２０ｆと静電容量部３３０ｆとを備えている。第六変形例では、第一の端面２ｅから第二の端面２ｆに向かって、第一の側面２ｃに、外部接続導体７、端子電極３、端子電極５３及び外部接続導体６の順で電極等が配置され、第二の側面２ｄには、外部接続導体８、端子電極４、端子電極５４及び外部接続導体５の順で電極等が配置される。そして、第六変形例では、このような電極等の配置に応じて、各内部電極の引出電極部３１４，３１９，３２３，３２８の位置が図３２に示されるように変更されている。
【０１２７】
また、第七変形例にかかる積層コンデンサ３０１は、図３３に示されるように、第一及び第二のＥＳＲ制御部３１０ｇ，３２０ｇと静電容量部３３０ｇとを備えている。第七変形例では、第一の端面２ｅから第二の端面２ｆに向かって、第一の側面２ｃに、外部接続導体６、端子電極３、端子電極５３及び外部接続導体７の順で電極等が配置され、第二の側面２ｄには、外部接続導体５、端子電極４、端子電極５４及び外部接続導体８の順で電極等が配置される。そして、第七変形例では、このような電極等の配置に応じて、各内部電極の引出電極部３１４，３１９，３２３，３２４，３２８，３２９，３３３，３３８の位置が図３３に示されるように変更されている。
【０１２８】
また、第八変形例にかかる積層コンデンサ３０１は、図３４に示されるように、第一及び第二のＥＳＲ制御部３１０ｈ，３２０ｈと静電容量部３３０ｈとを備えている。第八変形例では、第一の端面２ｅから第二の端面２ｆに向かって、第一の側面２ｃに、外部接続導体５、端子電極３、端子電極５４及び外部接続導体７の順で電極等が配置され、第二の側面２ｄには、外部接続導体６、端子電極４、端子電極５３及び外部接続導体８の順で電極等が配置される。そして、第八変形例では、このような電極等の配置に応じて、各内部電極の引出電極部３１３ｂ，３１４，３１８ｂ，３１９，３２３，３２４，３２８，３２９，３３３，３３８の位置が図３４に示されるように変更されている。
【０１２９】
また、第九変形例にかかる積層コンデンサ３０１は、図３５に示されるように、第一及び第二のＥＳＲ制御部３１０ｉ，３２０ｉと静電容量部３３０ｉとを備えている。第九変形例では、第一の端面２ｅから第二の端面２ｆに向かって、第一の側面２ｃに、外部接続導体５、端子電極３、端子電極５４及び外部接続導体８の順で電極等が配置され、第二の側面２ｄには、外部接続導体６、端子電極４、端子電極５３及び外部接続導体７の順で電極等が配置される。そして、第九変形例では、このような電極等の配置に応じて、各内部電極の引出電極部３１３ｂ，３１４，３１８ｂ，３１９，３２３，３２４，３２８，３２９，３３３，３３８の位置が図３５に示されるように変更されている。
【０１３０】
また、第十変形例にかかる積層コンデンサ３０１は、図３６に示されるように、第一及び第二のＥＳＲ制御部３１０ｊ，３２０ｊと静電容量部３３０ｊとを備えている。第十変形例では、第一の端面２ｅから第二の端面２ｆに向かって、第一の側面２ｃに、外部接続導体８、端子電極３、端子電極５４及び外部接続導体５の順で電極等が配置され、第二の側面２ｄには、外部接続導体７、端子電極４、端子電極５３及び外部接続導体６の順で電極等が配置される。そして、第十変形例では、このような電極等の配置に応じて、各内部電極の引出電極部３１３ｂ，３１８ｂ，３２４，３２９，３３３，３３８の位置が図３６に示されるように変更されている。
【０１３１】
また、第十一変形例にかかる積層コンデンサ３０１は、図３７に示されるように、第一及び第二のＥＳＲ制御部３１０ｋ，３２０ｋと静電容量部３３０ｋとを備えている。第十一変形例では、第一の端面２ｅから第二の端面２ｆに向かって、第一の側面２ｃに、外部接続導体７、端子電極３、端子電極５４及び外部接続導体５の順で電極等が配置され、第二の側面２ｄには、外部接続導体８、端子電極４、端子電極５３及び外部接続導体６の順で電極等が配置される。そして、第十一変形例では、このような電極等の配置に応じて、各内部電極の引出電極部３１３ｂ，３１８ｂの位置が図３７に示されるように変更されている。
【０１３２】
また、第十二変形例にかかる積層コンデンサ３０１は、図３８に示されるように、第一及び第二のＥＳＲ制御部３１０ｍ，３２０ｍと静電容量部３３０ｍとを備えている。第十二変形例では、第一の端面２ｅから第二の端面２ｆに向かって、第一の側面２ｃに、外部接続導体８、端子電極３、端子電極５４及び外部接続導体６の順で電極等が配置され、第二の側面２ｄには、外部接続導体７、端子電極４、端子電極５３及び外部接続導体５の順で電極等が配置される。そして、第十二変形例では、このような電極等の配置に応じて、各内部電極の引出電極部３１３ｂ，３１４，３１８ｂ，３１９，３２３，３２４，３２８，３２９，３３３，３３８の位置が図３８に示されるように変更されている。
【０１３３】
また、第十三変形例にかかる積層コンデンサ３０１は、図３９に示されるように、第一及び第二のＥＳＲ制御部３１０ｎ，３２０ｎと静電容量部３３０ｎとを備えている。第十三変形例では、第一の端面２ｅから第二の端面２ｆに向かって、第一の側面２ｃに、外部接続導体７、端子電極３、端子電極５４及び外部接続導体６の順で電極等が配置され、第二の側面２ｄには、外部接続導体８、端子電極４、端子電極５３及び外部接続導体５の順で電極等が配置される。そして、第十三変形例では、このような電極等の配置に応じて、各内部電極の引出電極部３１３ｂ，３１４，３１８ｂ，３１９，３２３，３２８の位置が図３９に示されるように変更されている。
【０１３４】
また、第十四変形例にかかる積層コンデンサ３０１は、図４０に示されるように、第一及び第二のＥＳＲ制御部３１０ｏ，３２０ｏと静電容量部３３０ｏとを備えている。第十四変形例では、第一の端面２ｅから第二の端面２ｆに向かって、第一の側面２ｃに、外部接続導体６、端子電極３、端子電極５４及び外部接続導体８の順で電極等が配置され、第二の側面２ｄには、外部接続導体５、端子電極４、端子電極５３及び外部接続導体７の順で電極等が配置される。そして、第十四変形例では、このような電極等の配置に応じて、各内部電極の引出電極部３１３ｂ，３１４，３１８ｂ，３１９，３２３，３２４，３２８，３２９，３３３，３３８の位置が図４０に示されるように変更されている。
【０１３５】
また、第十五変形例にかかる積層コンデンサ３０１は、図４１に示されるように、第一及び第二のＥＳＲ制御部３１０ｐ，３２０ｐと静電容量部３３０ｐとを備えている。第十五変形例では、第一の端面２ｅから第二の端面２ｆに向かって、第一の側面２ｃに、外部接続導体６、端子電極３、端子電極５４及び外部接続導体７の順で電極等が配置され、第二の側面２ｄには、外部接続導体５、端子電極４、端子電極５３及び外部接続導体８の順で電極等が配置される。そして、第十五変形例では、このような電極等の配置に応じて、各内部電極の引出電極部３１３ｂ，３１４，３１８ｂ，３１９，３２３，３２４，３２８，３２９，３３３，３３８の位置が図４１に示されるように変更されている。
【０１３６】
（第八実施形態）
次に、図４２及び図４３を参照して、第八実施形態にかかる積層コンデンサ３５１の構成について説明する。積層コンデンサ３５１は、第七実施形態の積層コンデンサ３０１と同様、略直方体形状の素体２と、端子電極３，４，５３，５４と、外部接続導体５〜８とを備え、素体２の内部に、第一及び第二のＥＳＲ制御部３６０，３７０と静電容量部３８０とを備えている。本実施形態では、第一の端面２ｅから第二の端面２ｆに向かって、第一の側面２ｃに、端子電極３、端子電極５３、外部接続導体５及び外部接続導体７の順で電極等が配置され、第二の側面２ｄには、端子電極４、端子電極５４、外部接続導体６及び外部接続導体８の順で電極等が配置される。なお、第一及び第二のＥＳＲ制御部３６０，３７０や静電容量部３８０の積層数や積層位置を変更させることで、ＥＳＲを所望の値に調整できる点は他の実施形態と同様である。
【０１３７】
第一のＥＳＲ制御部３６０は、図４３（ａ）に示されるように、それぞれが別の誘電体層２ｇ上に形成される内部電極３６１，３６６から構成される。内部電極３６１，３６６は、誘電体層２ｇを介して積層方向に互いに対向するように積層され、一対の内部電極層を構成する。内部電極３６１は、主電極部３６２と引出電極部３６３ａ，３６３ｂ，３６４とを含み、端子電極３，５３と外部接続導体５とを接続する。内部電極３６６は、主電極部３６７と引出電極部３６８ａ，３６８ｂ，３６９とを含み、端子電極４，５４と外部接続導体６とを接続する。
【０１３８】
第二のＥＳＲ制御部３７０は、図４３（ｂ）に示されるように、それぞれが別の誘電体層２ｇ上に形成される内部電極３７１，３７６から構成される。内部電極３７１，３７６は、誘電体層２ｇを介して積層方向に互いに対向するように積層され、一対の内部電極層を構成する。内部電極３７１は、主電極部３７２と引出電極部３７３，３７４とを含み、外部接続導体５，７を接続する。内部電極３７６は、主電極部３７７と引出電極部３７８，３７９とを含み、外部接続導体６，８を接続する。
【０１３９】
静電容量部３８０は、図４３（ｃ）に示されるように、それぞれが別の誘電体層２ｇ上に形成される内部電極３８１，３８６から構成される。内部電極３８１，３８６は、誘電体層２ｇを介して積層方向に互いに対向するように積層され、一対の内部電極層を構成する。内部電極３８１は、主電極部３８２と引出電極部３８３とを含み、外部接続導体７に接続する。内部電極３８６は、主電極部３８７と引出電極部３８８とを含み、外部接続導体８に接続する。
【０１４０】
以上のように、上述したような内部電極パターンを備えた積層コンデンサ３５１でも、上述した各実施形態と同様、第二のＥＳＲ制御部３７０を備えており、第二のＥＳＲ制御部３７０の積層数や積層位置の少なくとも一方を変更することにより、積層コンデンサ３５１のＥＳＲを所望の値に調整することができる。
【０１４１】
ここで、第八実施形態にかかる積層コンデンサ３５１の変形例について図４４〜図５０を参照して簡単に説明する。第一変形例にかかる積層コンデンサ３５１は、図４４に示されるように、第一及び第二のＥＳＲ制御部３６０ａ，３７０ａと静電容量部３８０ａとを備えている。第一変形例では、第一の端面２ｅから第二の端面２ｆに向かって、第一の側面２ｃに、端子電極３、端子電極５３、外部接続導体５及び外部接続導体８の順で電極等が配置され、第二の側面２ｄには、端子電極４、端子電極５４、外部接続導体６及び外部接続導体７の順で電極等が配置される。そして、第一変形例では、このような電極等の配置に応じて、各内部電極の引出電極部３７４，３７９，３８３，３８８の位置が図４４に示されるように変更されている。
【０１４２】
また、第二変形例にかかる積層コンデンサ３５１は、図４５に示されるように、第一及び第二のＥＳＲ制御部３６０ｂ，３７０ｂと静電容量部３８０ｂとを備えている。第二変形例では、第一の端面２ｅから第二の端面２ｆに向かって、第一の側面２ｃに、端子電極３、端子電極５３、外部接続導体７及び外部接続導体５の順で電極等が配置され、第二の側面２ｄには、端子電極４、端子電極５４、外部接続導体８及び外部接続導体６の順で電極等が配置される。そして、第二変形例では、このような電極等の配置に応じて、各内部電極の引出電極部３６４，３６９，３７３，３７４，３７８，３７９，３８３，３８８の位置が図４５に示されるように変更されている。
【０１４３】
また、第三変形例にかかる積層コンデンサ３５１は、図４６に示されるように、第一及び第二のＥＳＲ制御部３６０ｃ，３７０ｃと静電容量部３８０ｃとを備えている。第三変形例では、第一の端面２ｅから第二の端面２ｆに向かって、第一の側面２ｃに、端子電極３、端子電極５３、外部接続導体８及び外部接続導体５の順で電極等が配置され、第二の側面２ｄには、端子電極４、端子電極５４、外部接続導体７及び外部接続導体６の順で電極等が配置される。そして、第三変形例では、このような電極等の配置に応じて、各内部電極の引出電極部３６４，３６９，３７３，３７４，３７８，３７９，３８３，３８８の位置が図４６に示されるように変更されている。
【０１４４】
また、第四変形例にかかる積層コンデンサ３５１は、図４７に示されるように、第一及び第二のＥＳＲ制御部３６０ｄ，３７０ｄと静電容量部３８０ｄとを備えている。第四変形例では、第一の端面２ｅから第二の端面２ｆに向かって、第一の側面２ｃに、端子電極３、端子電極５３、外部接続導体６及び外部接続導体８の順で電極等が配置され、第二の側面２ｄには、端子電極４、端子電極５４、外部接続導体５及び外部接続導体７の順で電極等が配置される。そして、第四変形例では、このような電極等の配置に応じて、各内部電極の引出電極部３６４，３６９，３７３，３７４，３７８，３７９，３８３，３８８の位置が図４７に示されるように変更されている。
【０１４５】
また、第五変形例にかかる積層コンデンサ３５１は、図４８に示されるように、第一及び第二のＥＳＲ制御部３６０ｅ，３７０ｅと静電容量部３８０ｅとを備えている。第五変形例では、第一の端面２ｅから第二の端面２ｆに向かって、第一の側面２ｃに、端子電極３、端子電極５３、外部接続導体６及び外部接続導体７の順で電極等が配置され、第二の側面２ｄには、端子電極４、端子電極５４、外部接続導体５及び外部接続導体８の順で電極等が配置される。そして、第五変形例では、このような電極等の配置に応じて、各内部電極の引出電極部３６４，３６９，３７３，３７８の位置が図４８に示されるように変更されている。
【０１４６】
また、第六変形例にかかる積層コンデンサ３５１は、図４９に示されるように、第一及び第二のＥＳＲ制御部３６０ｆ，３７０ｆと静電容量部３８０ｆとを備えている。第六変形例では、第一の端面２ｅから第二の端面２ｆに向かって、第一の側面２ｃに、端子電極３、端子電極５３、外部接続導体８及び外部接続導体６の順で電極等が配置され、第二の側面２ｄには、端子電極４、端子電極５４、外部接続導体７及び外部接続導体５の順で電極等が配置される。そして、第六変形例では、このような電極等の配置に応じて、各内部電極の引出電極部３６４，３６９，３７３，３７４，３７８，３７９，３８３，３８８の位置が図４９に示されるように変更されている。
【０１４７】
また、第七変形例にかかる積層コンデンサ３５１は、図５０に示されるように、第一及び第二のＥＳＲ制御部３６０ｇ，３７０ｇと静電容量部３８０ｇとを備えている。第七変形例では、第一の端面２ｅから第二の端面２ｆに向かって、第一の側面２ｃに、端子電極３、端子電極５３、外部接続導体７及び外部接続導体６の順で電極等が配置され、第二の側面２ｄには、端子電極４、端子電極５４、外部接続導体８及び外部接続導体５の順で電極等が配置される。そして、第七変形例では、このような電極等の配置に応じて、各内部電極の引出電極部３６４，３６９，３７３，３７４，３７８，３７９，３８３，３８８の位置が図５０に示されるように変更されている。
【０１４８】
（第九実施形態）
次に、図５１及び図５２を参照して、第九実施形態にかかる積層コンデンサ４０１の構成について説明する。積層コンデンサ４０１は、第八実施形態の積層コンデンサ３５１と同様、略直方体形状の素体２と、端子電極３，４，５３，５４と、外部接続導体５〜８とを備え、素体２の内部に、第一及び第二のＥＳＲ制御部４１０，４２０と静電容量部４３０とを備えている。本実施形態では、第一の端面２ｅから第二の端面２ｆに向かって、第一の側面２ｃに、端子電極３、端子電極５４、外部接続導体５及び外部接続導体７の順で電極等が配置され、第二の側面２ｄには、端子電極４、端子電極５３、外部接続導体６及び外部接続導体８の順で電極等が配置される。なお、第一及び第二のＥＳＲ制御部４１０，４２０や静電容量部４３０の積層数や積層位置を変更させることで、ＥＳＲを所望の値に調整できる点は他の実施形態と同様である。
【０１４９】
第一のＥＳＲ制御部４１０は、図５２（ａ）に示されるように、それぞれが別の誘電体層２ｇ上に形成される内部電極４１１，４１６から構成される。内部電極４１１，４１６は、誘電体層２ｇを介して積層方向に互いに対向するように積層され、一対の内部電極層を構成する。内部電極４１１は、主電極部４１２と引出電極部４１３ａ，４１３ｂ，４１４とを含み、端子電極３，５３と外部接続導体５とを接続する。内部電極４１６は、主電極部４１７と引出電極部４１８ａ，４１８ｂ，４１９とを含み、端子電極４，５４と外部接続導体６とを接続する。
【０１５０】
第二のＥＳＲ制御部４２０は、図５２（ｂ）に示されるように、それぞれが別の誘電体層２ｇ上に形成される内部電極４２１，４２６から構成される。内部電極４２１，４２６は、誘電体層２ｇを介して積層方向に互いに対向するように積層され、一対の内部電極層を構成する。内部電極４２１は、主電極部４２２と引出電極部４２３，４２４とを含み、外部接続導体５，７を接続する。内部電極４２６は、主電極部４２７と引出電極部４２８，４２９とを含み、外部接続導体６，８を接続する。
【０１５１】
静電容量部４３０は、図５２（ｃ）に示されるように、それぞれが別の誘電体層２ｇ上に形成される内部電極４３１，４３６から構成される。内部電極４３１，４３６は、誘電体層２ｇを介して積層方向に互いに対向するように積層され、一対の内部電極層を構成する。内部電極４３１は、主電極部４３２と引出電極部４３３とを含み、外部接続導体７に接続する。内部電極４３６は、主電極部４３７と引出電極部４３８とを含み、外部接続導体８に接続する。
【０１５２】
以上のように、上述したような内部電極パターンを備えた積層コンデンサ４０１でも、上述した各実施形態と同様、第二のＥＳＲ制御部４２０を備えており、第二のＥＳＲ制御部４２０の積層数や積層位置の少なくとも一方を変更することにより、積層コンデンサ４０１のＥＳＲを所望の値に調整することができる。
【０１５３】
ここで、第九実施形態にかかる積層コンデンサ４０１の変形例について図５３〜図５９を参照して簡単に説明する。第一変形例にかかる積層コンデンサ４０１は、図５３に示されるように、第一及び第二のＥＳＲ制御部４１０ａ，４２０ａと静電容量部４３０ａとを備えている。第一変形例では、第一の端面２ｅから第二の端面２ｆに向かって、第一の側面２ｃに、端子電極３、端子電極５４、外部接続導体５及び外部接続導体８の順で電極等が配置され、第二の側面２ｄには、端子電極４、端子電極５３、外部接続導体６及び外部接続導体７の順で電極等が配置される。そして、第一変形例では、このような電極等の配置に応じて、各内部電極の引出電極部４２４，４２９，４３３，４３８の位置が図５３に示されるように変更されている。
【０１５４】
また、第二変形例にかかる積層コンデンサ４０１は、図５４に示されるように、第一及び第二のＥＳＲ制御部４１０ｂ，４２０ｂと静電容量部４３０ｂとを備えている。第二変形例では、第一の端面２ｅから第二の端面２ｆに向かって、第一の側面２ｃに、端子電極３、端子電極５４、外部接続導体７及び外部接続導体５の順で電極等が配置され、第二の側面２ｄには、端子電極４、端子電極５３、外部接続導体８及び外部接続導体６の順で電極等が配置される。そして、第二変形例では、このような電極等の配置に応じて、各内部電極の引出電極部４１４，４１９，４２３，４２４，４２８，４２９，４３３，４３８の位置が図５４に示されるように変更されている。
【０１５５】
また、第三変形例にかかる積層コンデンサ４０１は、図５５に示されるように、第一及び第二のＥＳＲ制御部４１０ｃ，４２０ｃと静電容量部４３０ｃとを備えている。第三変形例では、第一の端面２ｅから第二の端面２ｆに向かって、第一の側面２ｃに、端子電極３、端子電極５４、外部接続導体８及び外部接続導体５の順で電極等が配置され、第二の側面２ｄには、端子電極４、端子電極５３、外部接続導体７及び外部接続導体６の順で電極等が配置される。そして、第三変形例では、このような電極等の配置に応じて、各内部電極の引出電極部４１４，４１９，４２３，４２４，４２８，４２９，４３３，４３８の位置が図５５に示されるように変更されている。
【０１５６】
また、第四変形例にかかる積層コンデンサ４０１は、図５６に示されるように、第一及び第二のＥＳＲ制御部４１０ｄ，４２０ｄと静電容量部４３０ｄとを備えている。第四変形例では、第一の端面２ｅから第二の端面２ｆに向かって、第一の側面２ｃに、端子電極３、端子電極５４、外部接続導体６及び外部接続導体８の順で電極等が配置され、第二の側面２ｄには、端子電極４、端子電極５３、外部接続導体５及び外部接続導体７の順で電極等が配置される。そして、第四変形例では、このような電極等の配置に応じて、各内部電極の引出電極部４１４，４１９，４２３，４２４，４２８，４２９，４３３，４３８の位置が図５６に示されるように変更されている。
【０１５７】
また、第五変形例にかかる積層コンデンサ４０１は、図５７に示されるように、第一及び第二のＥＳＲ制御部４１０ｅ，４２０ｅと静電容量部４３０ｅとを備えている。第五変形例では、第一の端面２ｅから第二の端面２ｆに向かって、第一の側面２ｃに、端子電極３、端子電極５４、外部接続導体６及び外部接続導体７の順で電極等が配置され、第二の側面２ｄには、端子電極４、端子電極５３、外部接続導体５及び外部接続導体８の順で電極等が配置される。そして、第五変形例では、このような電極等の配置に応じて、各内部電極の引出電極部４１４，４１９，４２３，４２８の位置が図５７に示されるように変更されている。
【０１５８】
また、第六変形例にかかる積層コンデンサ４０１は、図５８に示されるように、第一及び第二のＥＳＲ制御部４１０ｆ，４２０ｆと静電容量部４３０ｆとを備えている。第六変形例では、第一の端面２ｅから第二の端面２ｆに向かって、第一の側面２ｃに、端子電極３、端子電極５４、外部接続導体７及び外部接続導体６の順で電極等が配置され、第二の側面２ｄには、端子電極４、端子電極５３、外部接続導体８及び外部接続導体５の順で電極等が配置される。そして、第六変形例では、このような電極等の配置に応じて、各内部電極の引出電極部４１４，４１９，４２３，４２４，４２８，４２９，４３３，４３８の位置が図５８に示されるように変更されている。
【０１５９】
また、第七変形例にかかる積層コンデンサ４０１は、図５９に示されるように、第一及び第二のＥＳＲ制御部４１０ｇ，４２０ｇと静電容量部４３０ｇとを備えている。第七変形例では、第一の端面２ｅから第二の端面２ｆに向かって、第一の側面２ｃに、端子電極３、端子電極５４、外部接続導体８及び外部接続導体６の順で電極等が配置され、第二の側面２ｄには、端子電極４、端子電極５３、外部接続導体７及び外部接続導体５の順で電極等が配置される。そして、第七変形例では、このような電極等の配置に応じて、各内部電極の引出電極部４１４，４１９，４２３，４２４，４２８，４２９，４３３，４３８の位置が図５９に示されるように変更されている。
【０１６０】
（第十実施形態）
次に、図６０及び図６１を参照して、第十実施形態にかかる積層コンデンサ４５１の構成について説明する。積層コンデンサ４５１は、第九実施形態の積層コンデンサ４０１と同様、略直方体形状の素体２と、端子電極３，４，５３，５４と、外部接続導体５〜８とを備え、素体２の内部に、第一及び第二のＥＳＲ制御部４６０，４７０と静電容量部４８０とを備えている。本実施形態では、第一の端面２ｅから第二の端面２ｆに向かって、第一の側面２ｃに、端子電極３、外部接続導体５、端子電極５３及び外部接続導体７の順で電極等が配置され、第二の側面２ｄには、端子電極４、外部接続導体６、端子電極５４及び外部接続導体８の順で電極等が配置される。なお、第一及び第二のＥＳＲ制御部４６０，４７０や静電容量部４８０の積層数や積層位置を変更させることで、ＥＳＲを所望の値に調整できる点は他の実施形態と同様である。
【０１６１】
第一のＥＳＲ制御部４６０は、図６１（ａ）に示されるように、それぞれが別の誘電体層２ｇ上に形成される内部電極４６１，４６６から構成される。内部電極４６１，４６６は、誘電体層２ｇを介して積層方向に互いに対向するように積層され、一対の内部電極層を構成する。内部電極４６１は、主電極部４６２と引出電極部４６３ａ，４６３ｂ，４６４とを含み、端子電極３，５３と外部接続導体５とを接続する。内部電極４６６は、主電極部４６７と引出電極部４６８ａ，４６８ｂ，４６９とを含み、端子電極４，５４と外部接続導体６とを接続する。
【０１６２】
第二のＥＳＲ制御部４７０は、図６１（ｂ）に示されるように、それぞれが別の誘電体層２ｇ上に形成される内部電極４７１，４７６から構成される。内部電極４７１，４７６は、誘電体層２ｇを介して積層方向に互いに対向するように積層され、一対の内部電極層を構成する。内部電極４７１は、主電極部４７２と引出電極部４７３，４７４とを含み、外部接続導体５，７を接続する。内部電極４７６は、主電極部４７７と引出電極部４７８，４７９とを含み、外部接続導体６，８を接続する。
【０１６３】
静電容量部４８０は、図６１（ｃ）に示されるように、それぞれが別の誘電体層２ｇ上に形成される内部電極４８１，４８６から構成される。内部電極４８１，４８６は、誘電体層２ｇを介して積層方向に互いに対向するように積層され、一対の内部電極層を構成する。内部電極４８１は、主電極部４８２と引出電極部４８３とを含み、外部接続導体７に接続する。内部電極４８６は、主電極部４８７と引出電極部４８８とを含み、外部接続導体８に接続する。
【０１６４】
以上のように、上述したような内部電極パターンを備えた積層コンデンサ４５１でも、上述した各実施形態と同様、第二のＥＳＲ制御部４７０を備えており、第二のＥＳＲ制御部４７０の積層数や積層位置の少なくとも一方を変更することにより、積層コンデンサ４５１のＥＳＲを所望の値に調整することができる。
【０１６５】
ここで、第十実施形態にかかる積層コンデンサ４５１の変形例について図６２〜図６８を参照して簡単に説明する。第一変形例にかかる積層コンデンサ４５１は、図６２に示されるように、第一及び第二のＥＳＲ制御部４６０ａ，４７０ａと静電容量部４８０ａとを備えている。第一変形例では、第一の端面２ｅから第二の端面２ｆに向かって、第一の側面２ｃに、端子電極３、外部接続導体５、端子電極５３及び外部接続導体８の順で電極等が配置され、第二の側面２ｄには、端子電極４、外部接続導体６、端子電極５４及び外部接続導体７の順で電極等が配置される。そして、第一変形例では、このような電極等の配置に応じて、各内部電極の引出電極部４７４，４７９，４８３，４８８の位置が図６２に示されるように変更されている。
【０１６６】
第二変形例にかかる積層コンデンサ４５１は、図６３に示されるように、第一及び第二のＥＳＲ制御部４６０ｂ，４７０ｂと静電容量部４８０ｂとを備えている。第二変形例では、第一の端面２ｅから第二の端面２ｆに向かって、第一の側面２ｃに、端子電極３、外部接続導体７、端子電極５３及び外部接続導体５の順で電極等が配置され、第二の側面２ｄには、端子電極４、外部接続導体８、端子電極５４及び外部接続導体６の順で電極等が配置される。そして、第二変形例では、このような電極等の配置に応じて、各内部電極の引出電極部４６４，４６９，４７３，４７４，４７８，４７９，４８３，４８８の位置が図６３に示されるように変更されている。
【０１６７】
第三変形例にかかる積層コンデンサ４５１は、図６４に示されるように、第一及び第二のＥＳＲ制御部４６０ｃ，４７０ｃと静電容量部４８０ｃとを備えている。第三変形例では、第一の端面２ｅから第二の端面２ｆに向かって、第一の側面２ｃに、端子電極３、外部接続導体８、端子電極５３及び外部接続導体５の順で電極等が配置され、第二の側面２ｄには、端子電極４、外部接続導体７、端子電極５４及び外部接続導体６の順で電極等が配置される。そして、第三変形例では、このような電極等の配置に応じて、各内部電極の引出電極部４６４，４６９，４７３，４７４，４７８，４７９，４８３，４８８の位置が図６４に示されるように変更されている。
【０１６８】
第四変形例にかかる積層コンデンサ４５１は、図６５に示されるように、第一及び第二のＥＳＲ制御部４６０ｄ，４７０ｄと静電容量部４８０ｄとを備えている。第四変形例では、第一の端面２ｅから第二の端面２ｆに向かって、第一の側面２ｃに、端子電極３、外部接続導体６、端子電極５３及び外部接続導体８の順で電極等が配置され、第二の側面２ｄには、端子電極４、外部接続導体５、端子電極５４及び外部接続導体７の順で電極等が配置される。そして、第四変形例では、このような電極等の配置に応じて、各内部電極の引出電極部４６４，４６９，４７３，４７４，４７８，４７９，４８３，４８８の位置が図６５に示されるように変更されている。
【０１６９】
第五変形例にかかる積層コンデンサ４５１は、図６６に示されるように、第一及び第二のＥＳＲ制御部４６０ｅ，４７０ｅと静電容量部４８０ｅとを備えている。第五変形例では、第一の端面２ｅから第二の端面２ｆに向かって、第一の側面２ｃに、端子電極３、外部接続導体６、端子電極５３及び外部接続導体７の順で電極等が配置され、第二の側面２ｄには、端子電極４、外部接続導体５、端子電極５４及び外部接続導体８の順で電極等が配置される。そして、第五変形例では、このような電極等の配置に応じて、各内部電極の引出電極部４６４，４６９，４７３，４７８の位置が図６６に示されるように変更されている。
【０１７０】
第六変形例にかかる積層コンデンサ４５１は、図６７に示されるように、第一及び第二のＥＳＲ制御部４６０ｆ，４７０ｆと静電容量部４８０ｆとを備えている。第六変形例では、第一の端面２ｅから第二の端面２ｆに向かって、第一の側面２ｃに、端子電極３、外部接続導体８、端子電極５３及び外部接続導体６の順で電極等が配置され、第二の側面２ｄには、端子電極４、外部接続導体７、端子電極５４及び外部接続導体５の順で電極等が配置される。そして、第六変形例では、このような電極等の配置に応じて、各内部電極の引出電極部４６４，４６９，４７３，４７４，４７８，４７９，４８３，４８８の位置が図６７に示されるように変更されている。
【０１７１】
第七変形例にかかる積層コンデンサ４５１は、図６８に示されるように、第一及び第二のＥＳＲ制御部４６０ｇ，４７０ｇと静電容量部４８０ｇとを備えている。第七変形例では、第一の端面２ｅから第二の端面２ｆに向かって、第一の側面２ｃに、端子電極３、外部接続導体７、端子電極５３及び外部接続導体６の順で電極等が配置され、第二の側面２ｄには、端子電極４、外部接続導体８、端子電極５４及び外部接続導体５の順で電極等が配置される。そして、第七変形例では、このような電極等の配置に応じて、各内部電極の引出電極部４６４，４６９，４７３，４７４，４７８，４７９，４８３，４８８の位置が図６８に示されるように変更されている。
【０１７２】
（第十一実施形態）
次に、図６９及び図７０を参照して、第十一実施形態にかかる積層コンデンサ５０１の構成について説明する。積層コンデンサ５０１は、第十実施形態の積層コンデンサ４５１と同様、略直方体形状の素体２と、端子電極３，４，５３，５４と、外部接続導体５〜８とを備え、素体２の内部に、第一及び第二のＥＳＲ制御部５１０，５２０と静電容量部５３０とを備えている。本実施形態では、第一の端面２ｅから第二の端面２ｆに向かって、第一の側面２ｃに、端子電極３、外部接続導体５、端子電極５４及び外部接続導体７の順で電極等が配置され、第二の側面２ｄには、端子電極４、外部接続導体６、端子電極５３及び外部接続導体８の順で電極等が配置される。なお、第一及び第二のＥＳＲ制御部５１０，５２０や静電容量部５３０の積層数や積層位置を変更させることで、ＥＳＲを所望の値に調整できる点は他の実施形態と同様である。
【０１７３】
第一のＥＳＲ制御部５１０は、図７０（ａ）に示されるように、それぞれが別の誘電体層２ｇ上に形成される内部電極５１１，５１６から構成される。内部電極５１１，５１６は、誘電体層２ｇを介して積層方向に互いに対向するように積層され、一対の内部電極層を構成する。内部電極５１１は、主電極部５１２と引出電極部５１３ａ，５１３ｂ，５１４とを含み、端子電極３，５３と外部接続導体５とを接続する。内部電極５１６は、主電極部５１７と引出電極部５１８ａ，５１８ｂ，５１９とを含み、端子電極４，５４と外部接続導体６とを接続する。
【０１７４】
第二のＥＳＲ制御部５２０は、図７０（ｂ）に示されるように、それぞれが別の誘電体層２ｇ上に形成される内部電極５２１，５２６から構成される。内部電極５２１，５２６は、誘電体層２ｇを介して積層方向に互いに対向するように積層され、一対の内部電極層を構成する。内部電極５２１は、主電極部５２２と引出電極部５２３，５２４とを含み、外部接続導体５，７を接続する。内部電極５２６は、主電極部５２７と引出電極部５２８，５２９とを含み、外部接続導体６，８を接続する。
【０１７５】
静電容量部５３０は、図７０（ｃ）に示されるように、それぞれが別の誘電体層２ｇ上に形成される内部電極５３１，５３６から構成される。内部電極５３１，５３６は、誘電体層２ｇを介して積層方向に互いに対向するように積層され、一対の内部電極層を構成する。内部電極５３１は、主電極部５３２と引出電極部５３３とを含み、外部接続導体７に接続する。内部電極５３６は、主電極部５３７と引出電極部５３８とを含み、外部接続導体８に接続する。
【０１７６】
以上のように、上述したような内部電極パターンを備えた積層コンデンサ５０１でも、上述した各実施形態と同様、第二のＥＳＲ制御部５２０を備えており、第二のＥＳＲ制御部５２０の積層数や積層位置の少なくとも一方を変更することにより、積層コンデンサ５０１のＥＳＲを所望の値に調整することができる。
【０１７７】
ここで、第十一実施形態にかかる積層コンデンサ５０１の変形例について図７１〜図７７を参照して簡単に説明する。第一変形例にかかる積層コンデンサ５０１は、図７１に示されるように、第一及び第二のＥＳＲ制御部５１０ａ，５２０ａと静電容量部５３０ａとを備えている。第一変形例では、第一の端面２ｅから第二の端面２ｆに向かって、第一の側面２ｃに、端子電極３、外部接続導体５、端子電極５４及び外部接続導体８の順で電極等が配置され、第二の側面２ｄには、端子電極４、外部接続導体６、端子電極５３及び外部接続導体７の順で電極等が配置される。そして、第一変形例では、このような電極等の配置に応じて、各内部電極の引出電極部５２４，５２９，５３３，５３８の位置が図７１に示されるように変更されている。
【０１７８】
また、第二変形例にかかる積層コンデンサ５０１は、図７２に示されるように、第一及び第二のＥＳＲ制御部５１０ｂ，５２０ｂと静電容量部５３０ｂとを備えている。第二変形例では、第一の端面２ｅから第二の端面２ｆに向かって、第一の側面２ｃに、端子電極３、外部接続導体７、端子電極５４及び外部接続導体５の順で電極等が配置され、第二の側面２ｄには、端子電極４、外部接続導体８、端子電極５３及び外部接続導体６の順で電極等が配置される。そして、第二変形例では、このような電極等の配置に応じて、各内部電極の引出電極部５１４，５１９，５２３，５２４，５２８，５２９，５３３，５３８の位置が図７２に示されるように変更されている。
【０１７９】
また、第三変形例にかかる積層コンデンサ５０１は、図７３に示されるように、第一及び第二のＥＳＲ制御部５１０ｃ，５２０ｃと静電容量部５３０ｃとを備えている。第三変形例では、第一の端面２ｅから第二の端面２ｆに向かって、第一の側面２ｃに、端子電極３、外部接続導体８、端子電極５４及び外部接続導体５の順で電極等が配置され、第二の側面２ｄには、端子電極４、外部接続導体７、端子電極５３及び外部接続導体６の順で電極等が配置される。そして、第三変形例では、このような電極等の配置に応じて、各内部電極の引出電極部５１４，５１９，５２３，５２４，５２８，５２９，５３３，５３８の位置が図７３に示されるように変更されている。
【０１８０】
また、第四変形例にかかる積層コンデンサ５０１は、図７４に示されるように、第一及び第二のＥＳＲ制御部５１０ｄ，５２０ｄと静電容量部５３０ｄとを備えている。第四変形例では、第一の端面２ｅから第二の端面２ｆに向かって、第一の側面２ｃに、端子電極３、外部接続導体６、端子電極５４及び外部接続導体８の順で電極等が配置され、第二の側面２ｄには、端子電極４、外部接続導体５、端子電極５３及び外部接続導体７の順で電極等が配置される。そして、第四変形例では、このような電極等の配置に応じて、各内部電極の引出電極部５１４，５１９，５２３，５２４，５２８，５２９，５３３，５３８の位置が図７４に示されるように変更されている。
【０１８１】
また、第五変形例にかかる積層コンデンサ５０１は、図７５に示されるように、第一及び第二のＥＳＲ制御部５１０ｅ，５２０ｅと静電容量部５３０ｅとを備えている。第五変形例では、第一の端面２ｅから第二の端面２ｆに向かって、第一の側面２ｃに、端子電極３、外部接続導体６、端子電極５４及び外部接続導体７の順で電極等が配置され、第二の側面２ｄには、端子電極４、外部接続導体５、端子電極５３及び外部接続導体８の順で電極等が配置される。そして、第五変形例では、このような電極等の配置に応じて、各内部電極の引出電極部５１４，５１９，５２３，５２８の位置が図７５に示されるように変更されている。
【０１８２】
また、第六変形例にかかる積層コンデンサ５０１は、図７６に示されるように、第一及び第二のＥＳＲ制御部５１０ｆ，５２０ｆと静電容量部５３０ｆとを備えている。第六変形例では、第一の端面２ｅから第二の端面２ｆに向かって、第一の側面２ｃに、端子電極３、外部接続導体８、端子電極５４及び外部接続導体６の順で電極等が配置され、第二の側面２ｄには、端子電極４、外部接続導体７、端子電極５３及び外部接続導体５の順で電極等が配置される。そして、第六変形例では、このような電極等の配置に応じて、各内部電極の引出電極部５１４，５１９，５２３，５２４，５２８，５２９，５３３，５３８の位置が図７６に示されるように変更されている。
【０１８３】
また、第七変形例にかかる積層コンデンサ５０１は、図７７に示されるように、第一及び第二のＥＳＲ制御部５１０ｇ，５２０ｇと静電容量部５３０ｇとを備えている。第七変形例では、第一の端面２ｅから第二の端面２ｆに向かって、第一の側面２ｃに、端子電極３、外部接続導体７、端子電極５４及び外部接続導体６の順で電極等が配置され、第二の側面２ｄには、端子電極４、外部接続導体８、端子電極５３及び外部接続導体５の順で電極等が配置される。そして、第七変形例では、このような電極等の配置に応じて、各内部電極の引出電極部５１４，５１９，５２３，５２４，５２８，５２９，５３３，５３８の位置が図７７に示されるように変更されている。
【０１８４】
以上、本発明の好適な実施形態について詳細に説明したが、本発明は上記実施形態に限定されるものではなく、種々の変形が可能である。例えば、上記各実施形態では、内部電極のパターンを多数示したが、内部電極のパターンはこれらに限定されるものではなく、他のパターンであってもよく、本発明の趣旨を逸脱しない範囲で他のパターンを採用するようにしてももちろんよい。また、第一、第二のＥＳＲ制御部や静電容量部の積層数は上述した積層数（素体２全体として１０層）に限定されるわけではなく、例えば１００層又はそれ以上の積層数からなっていてもよい。
【符号の説明】
【０１８５】
１…積層コンデンサ、２…素体、３，４…端子電極、５，６…第一の外部接続導体、７，８…第二の外部接続導体、１０…第一のＥＳＲ制御部、２０…第二のＥＳＲ制御部、３０…静電容量部。
【図１】
0005636687.tif 000002
【図２】
0005636687.tif 000003
【図３】
0005636687.tif 000004
【図４】
0005636687.tif 000005
【図５】
0005636687.tif 000006
【図６】
0005636687.tif 000007
【図７】
0005636687.tif 000008
【図８】
0005636687.tif 000009
【図９】
0005636687.tif 000010
【図１０】
0005636687.tif 000011
【図１１】
0005636687.tif 000012
【図１２】
0005636687.tif 000013
【図１３】
0005636687.tif 000014
【図１４】
0005636687.tif 000015
【図１５】
0005636687.tif 000016
【図１６】
0005636687.tif 000017
【図１７】
0005636687.tif 000018
【図１８】
0005636687.tif 000019
【図１９】
0005636687.tif 000020
【図２０】
0005636687.tif 000021
【図２１】
0005636687.tif 000022
【図２２】
0005636687.tif 000023
【図２３】
0005636687.tif 000024
【図２４】
0005636687.tif 000025
【図２５】
0005636687.tif 000026
【図２６】
0005636687.tif 000027
【図２７】
0005636687.tif 000028
【図２８】
0005636687.tif 000029
【図２９】
0005636687.tif 000030
【図３０】
0005636687.tif 000031
【図３１】
0005636687.tif 000032
【図３２】
0005636687.tif 000033
【図３３】
0005636687.tif 000034
【図３４】
0005636687.tif 000035
【図３５】
0005636687.tif 000036
【図３６】
0005636687.tif 000037
【図３７】
0005636687.tif 000038
【図３８】
0005636687.tif 000039
【図３９】
0005636687.tif 000040
【図４０】
0005636687.tif 000041
【図４１】
0005636687.tif 000042
【図４２】
0005636687.tif 000043
【図４３】
0005636687.tif 000044
【図４４】
0005636687.tif 000045
【図４５】
0005636687.tif 000046
【図４６】
0005636687.tif 000047
【図４７】
0005636687.tif 000048
【図４８】
0005636687.tif 000049
【図４９】
0005636687.tif 000050
【図５０】
0005636687.tif 000051
【図５１】
0005636687.tif 000052
【図５２】
0005636687.tif 000053
【図５３】
0005636687.tif 000054
【図５４】
0005636687.tif 000055
【図５５】
0005636687.tif 000056
【図５６】
0005636687.tif 000057
【図５７】
0005636687.tif 000058
【図５８】
0005636687.tif 000059
【図５９】
0005636687.tif 000060
【図６０】
0005636687.tif 000061
【図６１】
0005636687.tif 000062
【図６２】
0005636687.tif 000063
【図６３】
0005636687.tif 000064
【図６４】
0005636687.tif 000065
【図６５】
0005636687.tif 000066
【図６６】
0005636687.tif 000067
【図６７】
0005636687.tif 000068
【図６８】
0005636687.tif 000069
【図６９】
0005636687.tif 000070
【図７０】
0005636687.tif 000071
【図７１】
0005636687.tif 000072
【図７２】
0005636687.tif 000073
【図７３】
0005636687.tif 000074
【図７４】
0005636687.tif 000075
【図７５】
0005636687.tif 000076
【図７６】
0005636687.tif 000077
【図７７】
0005636687.tif 000078